(57)【要約】【課題】空調空間内の人々の快適性を損なうことなく、省エネルギー化を図ることができる空調システムを提供する。【解決手段】屋外への開放部を１以上有する空調空間の空調システム１００は、開放部における空調空間と屋外との間の風に関する風情報を取得するセンサ３１ａ、３１ｂと、空気の温度を調整する空調機１２と、空調機１２によって温度の調整された空気を、開放部に設けられた供給口から空調空間に可変風量で供給する供給部１４ａ、１４ｂと、空調空間の空気を吸込口から可変風量で吸い込む吸込部１８と、センサ３１ａ、３１ｂによって取得された風情報によって示される空調空間と屋外との間の風が弱くなるように、供給部１４ａ、１４ｂの供給量と吸込部１８の吸込量との少なくとも一方を制御する風量制御部とを備える。【選択図】図１
2020115053.tif 000002
【特許請求の範囲】
【請求項１】
屋外への開放部を１以上有する空調空間の空調システムであって、
前記開放部における前記空調空間と前記屋外との間の風に関する風情報を取得するセンサと、
空気の温度を調整する空調機と、
前記空調機によって温度の調整された空気を、前記開放部に設けられた供給口から前記空調空間に可変風量で供給する供給部と、
前記空調空間の空気を吸込口から可変風量で吸い込む吸込部と、
前記センサによって取得された風情報によって示される前記空調空間と前記屋外との間の風が弱くなるように、前記供給部の供給量と前記吸込部の吸込量との少なくとも一方を制御する風量制御部と、を備えた空調システム。
【請求項２】
前記空調空間の温度である内部温度を取得する内部温度センサと、
前記屋外の温度である屋外温度を取得する屋外温度センサと、をさらに備え、
前記風情報には、風向も含まれており、
前記風量制御部は、前記屋外温度が前記内部温度に対して、前記空調機による温度調整方向の目標側にある場合には、前記センサによって取得される風向が、前記開放部において前記屋外から前記空調空間に空気が流入する方向となるように前記供給部の供給量と前記吸込部の吸込量との少なくとも一方を制御し、そうでない場合には、前記センサによって取得された風情報によって示される前記空調空間と前記屋外との間の風が弱くなるように、前記供給部の供給量と前記吸込部の吸込量との少なくとも一方を制御する、請求項１記載の空調システム。
【請求項３】
前記空調空間は、水平方向に複数の区画に仮想的に分割されており、
前記空調機によって温度の調整された空気を前記空調空間における１以上の区画に供給する、当該１以上の区画ごとに設けられた複数の区画供給部と、
区画ごとに、人流に関する情報である人流情報を予測する人流予測部と、
前記人流予測部によって予測された人流情報に基づいて、前記複数の区画供給部を制御する区画制御部と、をさらに備えた、請求項１または請求項２記載の空調システム。
【請求項４】
区画ごとの人流情報を取得するための人流取得部と、
区画ごとに取得された所定の期間の人流情報を含む訓練用入力情報と、前記所定の期間の後に区画ごとに取得された人流情報である訓練用出力情報との組を複数用いて学習された学習器が記憶される記憶部と、をさらに備え、
前記人流予測部は、前記人流取得部によって取得された、所定の期間の人流情報を含む入力情報を前記学習器に適用することによって、予測された人流情報を取得する、請求項３記載の空調システム。
【請求項５】
前記区画制御部は、前記空調機によって冷房が行われている場合には、前記人流予測部によって予測された人流情報によって示される熱負荷が多い区画の供給冷熱量が多くなるように、当該区画に対応する前記区画供給部を制御し、前記人流予測部によって予測された人流情報によって示される熱負荷が少ない区画の供給冷熱量が少なくなるように、当該区画に対応する前記区画供給部を制御し、前記空調機によって暖房が行われている場合には、前記人流予測部によって予測された人流情報によって示される熱負荷が多い区画の供給温熱量が少なくなるように、当該区画に対応する前記区画供給部を制御し、前記人流予測部によって予測された人流情報によって示される熱負荷が少ない区画の供給温熱量が多くなるように、当該区画に対応する前記区画供給部を制御する、請求項３または請求項４記載の空調システム。
【請求項６】
前記区画制御部は、前記人流予測部によって予測された人流情報によって人のいないことが示される区画については、前記空調機によって調整された空気の供給を行わないように、当該区画に対応する前記区画供給部を制御する、請求項３から請求項５のいずれか記載の空調システム。
【請求項７】
前記空調空間は、少なくとも垂直方向に複数のブロックに仮想的に分割されており、
ブロックの温度を取得する、ブロックごとに設けられた複数のブロック温度センサと、
前記複数のブロックの間で空気を導く１以上のダクトと、
前記ダクトを介して空気を送風する１以上の送風部と、
前記複数のブロック温度センサによって取得された温度を用いて、空気の供給元のブロックの温度が、空気の供給先のブロックの温度に対して、前記空調機による温度調整方向の目標側となるように、前記１以上の送風部を制御するブロック間送風制御部と、をさらに備えた、請求項３から請求項６のいずれか記載の空調システム。
【請求項８】
前記空調空間は、水平方向にも複数のブロックに仮想的に分割されており、
複数の前記ダクト、及び複数の前記送風部を備えており、
前記人流予測部は、人流の平均速度を含む人流情報を取得するものであり、
前記ブロック間送風制御部は、供給元のブロックのうち、より温度の高いブロックの空気が、予測された人流情報によって、人流の平均速度の低いことが示される区画に対応する供給先のブロックに供給され、より温度の低いブロックの空気が、予測された人流情報によって、人流の平均速度の高いことが示される区画に対応する供給先のブロックに供給されるように前記複数の送風部を制御する、請求項７記載の空調システム。
【請求項９】
屋外への開放部を１以上有する空調空間の空調システムであり、前記開放部における前記空調空間と前記屋外との間の風に関する風情報を取得するセンサと、空気の温度を調整する空調機と、前記空調機によって温度の調整された空気を、前記開放部に設けられた供給口から前記空調空間に可変風量で供給する供給部と、前記空調空間の空気を吸込口から可変風量で吸い込む吸込部とを備えた空調システムの制御方法であって、
前記センサによって取得された風情報によって示される前記空調空間と前記屋外との間の風が弱くなるように、前記供給部の供給量と前記吸込部の吸込量との少なくとも一方を制御するステップを備えた制御方法。
【請求項１０】
空調空間の空調システムであって、
前記空調空間は、水平方向に複数の区画に仮想的に分割されており、
空気の温度を調整する空調機と、
前記空調機によって温度の調整された空気を前記空調空間における１以上の区画に供給する、当該１以上の区画ごとに設けられた複数の区画供給部と、
区画ごとに、人流に関する情報である人流情報を予測する人流予測部と、
前記人流予測部によって予測された人流情報に基づいて、前記複数の区画供給部を制御する区画制御部と、を備えた空調システム。
【請求項１１】
空調空間の空調システムであり、前記空調空間は、水平方向に複数の区画に仮想的に分割されており、空気の温度を調整する空調機と、前記空調機によって温度の調整された空気を前記空調空間における１以上の区画に供給する、当該１以上の区画ごとに設けられた複数の区画供給部とを備えた空調システムの制御方法であって、
区画ごとに、人流に関する情報である人流情報を予測するステップと、
前記予測された人流情報に基づいて、前記複数の区画供給部を制御するステップと、を備えた制御方法。
【請求項１２】
空調空間の空調システムであって、
前記空調空間は、少なくとも垂直方向に複数のブロックに仮想的に分割されており、
空気の温度を調整する空調機と、
ブロックの温度を取得する、ブロックごとに設けられた複数のブロック温度センサと、
前記複数のブロックの間で空気を導く１以上のダクトと、
前記ダクトを介して空気を送風する１以上の送風部と、
前記複数のブロック温度センサによって取得された温度を用いて、空気の供給元のブロックの温度が、空気の供給先のブロックの温度に対して、前記空調機による温度調整方向の目標側となるように、前記１以上の送風部を制御するブロック間送風制御部と、を備えた空調システム。
【請求項１３】
空調空間の空調システムであり、前記空調空間は、少なくとも垂直方向に複数のブロックに仮想的に分割されており、空気の温度を調整する空調機と、ブロックの温度を取得する、ブロックごとに設けられた複数のブロック温度センサと、前記複数のブロックの間で空気を導く１以上のダクトと、前記ダクトを介して空気を送風する１以上の送風部とを備えた空調システムの制御方法であって、
前記複数のブロック温度センサによって取得された温度を用いて、空気の供給元のブロックの温度が、空気の供給先のブロックの温度に対して、前記空調機による温度調整方向の目標側となるように、前記１以上の送風部を制御するステップを備えた制御方法。
【発明の詳細な説明】
【技術分野】
【０００１】
本発明は、空調空間について空調を行う空調システム等に関する。
【背景技術】
【０００２】
従来、空調システムにおいて、省エネルギー化を図ることが行われている（例えば、特許文献１参照）。
【先行技術文献】
【特許文献】
【０００３】
【特許文献１】特開２００８−２８１２４１号公報
【発明の概要】
【発明が解決しようとする課題】
【０００４】
従来の空調システムでは、屋外への開放部を有する地下街や駅、空港等の大規模な空調空間の空調において、開放部からの空調空気の流出や外気の流入によって空調が非効率になり、エネルギーが浪費されていた。また、例えば、開放部にエアカーテンを設置することも考えられるが、外部開口面とほぼ平行に横断気流を形成するエアカーテンでは、空調空気の流出や外気流入を防止することはできず、また、そのエアカーテンによって、女性の髪型が崩れるなどのように通行人に不快感を与えるおそれもあった。
【０００５】
また、従来は、空調空間を全体として一律に空調することが行われていた。その結果、例えば、人のいない箇所についても冷暖房がなされることになり、不必要な空調によってエネルギーが浪費されていた。また、作業域とそれ以外の領域をそれぞれ、タスク域、アンビエント域として分割し、タスク域に集中して冷暖房をおこなうタスク・アンビエント空調方式が知られている。しかしながら、そのタスク・アンビエント空調では、通常、タスク域やアンビエント域は固定されており、空調空間の状況に応じて動的にそれらを切り替えることはできなかった。
【０００６】
また、地下街や駅などのように人の流れの多い空調空間においては、その人の運動による発熱量や、流れと共に外部から誘引する外気に応じて、快適性が悪化する可能性があるが、通常、そのようなことを考慮しない一律な空調が行われていた。その結果、快適性を向上させるためには、不必要な空調（例えば、過剰な冷房など）を行うことになり、エネルギーが浪費されていた。一方、省エネルギー化を図るために、空調設定温度を抑える（例えば、冷房時２８度、暖房時２０度等）ことが知られているが、快適性が悪化することになるという問題があった。
【０００７】
一般的にいえば、空調空間内の人々の快適性を損なうことなく、空調の省エネルギー化を図ることが求められていた。
【０００８】
本発明は、上記事情に応じてなされたものであり、空調空間内の人々の快適性を損なうことなく、省エネルギー化を図ることができる空調システム及びその制御方法を提供することを目的とする。
【課題を解決するための手段】
【０００９】
上記目的を達成するため、本発明による空調システムは、屋外への開放部を１以上有する空調空間の空調システムであって、開放部における空調空間と屋外との間の風に関する風情報を取得するセンサと、空気の温度を調整する空調機と、空調機によって温度の調整された空気を、開放部に設けられた供給口から空調空間に可変風量で供給する供給部と、空調空間の空気を吸込口から可変風量で吸い込む吸込部と、センサによって取得された風情報によって示される空調空間と屋外との間の風が弱くなるように、供給部の供給量と吸込部の吸込量との少なくとも一方を制御する風量制御部と、を備えたものである。
このような構成により、開放部における空気の流量を少なくすることができる。その結果、空調空気が開放部から流出したり、不快な空気が開放部から流入したりすることを低減でき、空調空間の空調に関する省エネルギー化を図ることができる。また、例えば、開放部にエアカーテン等を設けなくてよくなり、通行人に不快感を与えることなく、開放部からの空調空気の流出等を低減することができるようになる。
【００１０】
また、本発明による空調システムでは、空調空間の温度である内部温度を取得する内部温度センサと、屋外の温度である屋外温度を取得する屋外温度センサと、をさらに備え、風情報には、風向も含まれており、風量制御部は、屋外温度が内部温度に対して、空調機による温度調整方向の目標側にある場合には、センサによって取得される風向が、開放部において屋外から空調空間に空気が流入する方向となるように供給部の供給量と吸込部の吸込量との少なくとも一方を制御し、そうでない場合には、センサによって取得された風情報によって示される空調空間と屋外との間の風が弱くなるように、供給部の供給量と吸込部の吸込量との少なくとも一方を制御してもよい。
このような構成により、外気を適切に用いることによって、より省エネルギー化を図ることができるようになる。
【００１１】
また、本発明による空調システムでは、空調空間は、水平方向に複数の区画に仮想的に分割されており、空調機によって温度の調整された空気を空調空間における１以上の区画に供給する、１以上の区画ごとに設けられた複数の区画供給部と、区画ごとに、人流に関する情報である人流情報を予測する人流予測部と、人流予測部によって予測された人流情報に基づいて、複数の区画供給部を制御する区画制御部と、をさらに備えてもよい。
このような構成により、予測された人流情報に基づいて区画ごとの制御を行うため、例えば、人が多いことが予測される区画や、人密度が高いことが予測される区画については、より冷房が効くようにすることによって、通行人の快適性を向上させることができる。また、例えば、人流が少ないことが予測される区画については、冷房の効きを弱くすることによって、省エネルギー化を図ることができる。また、例えば、そのように冷房を抑えたとしても、人流が少ないことによって（すなわち、人流に応じた熱負荷が小さいため、冷房を抑えても設定温度を実現できることによって）、快適性が大きく損なわれるようなことは起こらないことになる。また、人流のセンシング結果に応じて空調を制御した場合には、制御が行われてから、空調空気が実際に空調空間に提供されるまでにはタイムラグが生じ、また、空調空気が供給されてから設定温度になるまでの蓄熱によるタイムラグも生じるため、通行人の快適性が低下することもありうるが、予測された人流情報に基づいて制御を行うことによって、そのようなタイムラグが生じないようにすることができ、快適性をより向上させることができるようになる。また、予測された人流情報に応じて、複数の区画に関する空調の状況を動的に変更させることもできるようになる。
【００１２】
また、本発明による空調システムでは、区画ごとの人流情報を取得するための人流取得部と、区画ごとに取得された所定の期間の人流情報を含む訓練用入力情報と、所定の期間の後に区画ごとに取得された人流情報である訓練用出力情報との組を複数用いて学習された学習器が記憶される記憶部と、をさらに備え、人流予測部は、人流取得部によって取得された、所定の期間の人流情報を含む入力情報を学習器に適用することによって、予測された人流情報を取得してもよい。
このような構成により、学習器を用いて人流情報を予測することによって、より高い精度の予測を実現することができるようになりうる。
【００１３】
また、本発明による空調システムでは、区画制御部は、空調機によって冷房が行われている場合には、人流予測部によって予測された人流情報によって示される熱負荷が多い区画の供給冷熱量が多くなるように、区画に対応する区画供給部を制御し、人流予測部によって予測された人流情報によって示される熱負荷が少ない区画の供給冷熱量が少なくなるように、区画に対応する区画供給部を制御し、空調機によって暖房が行われている場合には、人流予測部によって予測された人流情報によって示される熱負荷が多い区画の供給温熱量が少なくなるように、区画に対応する区画供給部を制御し、人流予測部によって予測された人流情報によって示される熱負荷が少ない区画の供給温熱量が多くなるように、区画に対応する区画供給部を制御してもよい。
このような構成により、快適性を担保することができる。例えば、冷房時において、人流が多いため、温度が上昇する区画については、供給冷熱量が多くなるように制御したり、人流が少ないため、温度が上昇しない区画については、供給冷熱量が少なくなるように制御したりするからである。また、そのような制御によって、一部の区画では、供給冷熱量や供給温熱量を少なくすることができるため、一律な空調制御を行っていた場合よりも、省エネルギー化を実現することができる。
【００１４】
また、本発明による空調システムでは、区画制御部は、人流予測部によって予測された人流情報によって人のいないことが示される区画については、空調機によって調整された空気の供給を行わないように、区画に対応する区画供給部を制御してもよい。
このような構成により、空調の不要な区画については、空調を行わないことによって、省エネルギー化を実現することができる。また、そのような制御を行ったとしても、快適性を損なう可能性は低いと考えられる。
【００１５】
また、本発明による空調システムでは、空調空間は、少なくとも垂直方向に複数のブロックに仮想的に分割されており、ブロックの温度を取得する、ブロックごとに設けられた複数のブロック温度センサと、複数のブロックの間で空気を導く１以上のダクトと、ダクトを介して空気を送風する１以上の送風部と、複数のブロック温度センサによって取得された温度を用いて、空気の供給元のブロックの温度が、空気の供給先のブロックの温度に対して、空調機による温度調整方向の目標側となるように、１以上の送風部を制御するブロック間送風制御部と、をさらに備えてもよい。
このような構成により、空調空間内で空気を適切に移動させ、空調空気をより効率的に利用することによって、省エネルギー化を図ることができる。
【００１６】
また、本発明による空調システムでは、空調空間は、水平方向にも複数のブロックに仮想的に分割されており、複数のダクト、及び複数の送風部を備えており、人流予測部は、人流の平均速度を含む人流情報を取得するものであり、ブロック間送風制御部は、供給元のブロックのうち、より温度の高いブロックの空気が、予測された人流情報によって、人流の平均速度の低いことが示される区画に対応する供給先のブロックに供給され、より温度の低いブロックの空気が、予測された人流情報によって、人流の平均速度の高いことが示される区画に対応する供給先のブロックに供給されるように複数の送風部を制御してもよい。
このような構成により、空気の移動に応じて快適性も担保することができるようになる。
【００１７】
また、本発明による制御方法は、屋外への開放部を１以上有する空調空間の空調システムであり、開放部における空調空間と屋外との間の風に関する風情報を取得するセンサと、空気の温度を調整する空調機と、空調機によって温度の調整された空気を、開放部に設けられた供給口から空調空間に可変風量で供給する供給部と、空調空間の空気を吸込口から可変風量で吸い込む吸込部とを備えた空調システムの制御方法であって、センサによって取得された風情報によって示される空調空間と屋外との間の風が弱くなるように、供給部の供給量と吸込部の吸込量との少なくとも一方を制御するステップを備えたものである。
【００１８】
また、本発明による空調システムは、空調空間の空調システムであって、空調空間は、水平方向に複数の区画に仮想的に分割されており、空気の温度を調整する空調機と、空調機によって温度の調整された空気を空調空間における１以上の区画に供給する、１以上の区画ごとに設けられた複数の区画供給部と、区画ごとに、人流に関する情報である人流情報を予測する人流予測部と、人流予測部によって予測された人流情報に基づいて、複数の区画供給部を制御する区画制御部と、を備えたものである。
【００１９】
また、本発明による制御方法は、空調空間の空調システムであり、空調空間は、水平方向に複数の区画に仮想的に分割されており、空気の温度を調整する空調機と、空調機によって温度の調整された空気を空調空間における１以上の区画に供給する、１以上の区画ごとに設けられた複数の区画供給部とを備えた空調システムの制御方法であって、区画ごとに、人流に関する情報である人流情報を予測するステップと、予測された人流情報に基づいて、複数の区画供給部を制御するステップと、を備えたものである。
【００２０】
また、本発明による空調システムは、空調空間の空調システムであって、空調空間は、少なくとも垂直方向に複数のブロックに仮想的に分割されており、空気の温度を調整する空調機と、ブロックの温度を取得する、ブロックごとに設けられた複数のブロック温度センサと、複数のブロックの間で空気を導く１以上のダクトと、ダクトを介して空気を送風する１以上の送風部と、複数のブロック温度センサによって取得された温度を用いて、空気の供給元のブロックの温度が、空気の供給先のブロックの温度に対して、空調機による温度調整方向の目標側となるように、１以上の送風部を制御するブロック間送風制御部と、を備えたものである。
【００２１】
また、本発明による制御方法は、空調空間の空調システムであり、空調空間は、少なくとも垂直方向に複数のブロックに仮想的に分割されており、空気の温度を調整する空調機と、ブロックの温度を取得する、ブロックごとに設けられた複数のブロック温度センサと、複数のブロックの間で空気を導く１以上のダクトと、ダクトを介して空気を送風する１以上の送風部とを備えた空調システムの制御方法であって、複数のブロック温度センサによって取得された温度を用いて、空気の供給元のブロックの温度が、空気の供給先のブロックの温度に対して、空調機による温度調整方向の目標側となるように、１以上の送風部を制御するステップを備えたものである。
【発明の効果】
【００２２】
本発明による空調システム等によれば、空調空間内の人々の快適性を損なうことなく、省エネルギー化を図ることができる。
【図面の簡単な説明】
【００２３】
【図１】本発明の実施の形態による空調システムの各構成の配置を示す模式図
【図２】同実施の形態による空調システムの各構成の配置を示す模式図
【図３】同実施の形態による空調システムの制御に関する構成を示すブロック図
【図４】同実施の形態における空調空間を示す上面図
【図５】同実施の形態による学習器製造装置の構成を示すブロック図
【図６】同実施の形態による空調システムの動作を示すフローチャート
【図７】同実施の形態による空調システムの動作を示すフローチャート
【図８】同実施の形態による学習器製造装置の動作を示すフローチャート
【図９】同実施の形態における訓練用入力情報について説明するための図
【図１０】同実施の形態における訓練用入力情報の一例を示す図
【図１１】同実施の形態における訓練用入力情報の一例を示す図
【図１２】同実施の形態における訓練用入力情報の一例を示す図
【図１３】同実施の形態における訓練用出力情報の一例を示す図
【図１４】同実施の形態におけるニューラルネットワークの各層の一例を示す図
【図１５】同実施の形態におけるコンピュータシステムの外観一例を示す模式図
【図１６】同実施の形態におけるコンピュータシステムの構成の一例を示す図
【発明を実施するための形態】
【００２４】
以下、本発明による空調システムについて、実施の形態を用いて説明する。なお、以下の実施の形態において、同じ符号を付した構成要素及びステップは同一または相当するものであり、再度の説明を省略することがある。本実施の形態による空調システムは、開放部における空気の移動を低減すると共に、適宜、外気を有効利用するものである。また、本実施の形態による空調システムは、空調空間の区画ごとの人流の予測結果を用いて、快適性を向上させることができる空調の制御を区画ごとに行うものである。また、本実施の形態による空調システムは、空調空間内において空気を移動させて有効利用することにより、省エネルギー化を図るものである。
【００２５】
図１、図２は、本実施の形態による空調システム１００の構成を示す模式図であり、図３は、空調システム１００の構成を示すブロック図である。図４は、空調空間２００の上面図である。なお、図１では、空調空気の流れに関する構成について主に示しており、図２では、空調空間２００内での空気の移動に関する構成について主に示しており、図３では、制御関係の構成について主に示している。空調空間２００は、空調システム１００が空調を行う対象となる空間である。
【００２６】
図１〜図３で示されるように、本実施の形態による空調システム１００は、空調機１２と、供給部１４ａ、１４ｂと、吸込部１８と、センサ３１ａ、３１ｂと、内部温度センサ３２と、屋外温度センサ３３と、風量制御部３４と、区画供給部４１ａ〜４１ｄと、レーザレンジファインダ４２ａ〜４２ｄと、人流取得部４３と、記憶部４４と、人流予測部４５と、区画制御部４６と、ブロック温度センサ５１ａ〜５１ｈと、複数のダクト５３と、送風部５４ａ〜５４ｈと、ダンパ５５ａ〜５５ｈ、５６ａ〜５６ｈ、５７ａ〜５７ｈ、５８ａ〜５８ｈと、ブロック間送風制御部５９とを備える。また、供給部１４ａと供給部１４ｂとを特に区別しない場合には、単に供給部１４を呼ぶこともある。他の構成要素についても同様である。
【００２７】
なお、ここに明記したのは主な構成であって、空調システム１００は、その他の構成、例えば、熱源機器１１や、ダクト１３，１７、供給口（吹出口）１５、吸込口１６，５２、ダンパ１９，２１、送風機２０等を備えていてもよい。
【００２８】
本実施の形態では、説明を簡単にするため、空調空間２００が水平方向に分割された４個の区画２０１ａ〜２０１ｄを有する地下街であり、図１の左右端側に屋外への開放部を有する場合について説明する。空調空間２００は、それ以外の個数の区画に分けられていてもよい。例えば、区画の個数は、２個や３個でもよく、５個以上であってもよい。
【００２９】
図１では、開放部の位置を一点鎖線で示している。なお、空調空間２００が有する開放部の個数は、１以上であればよく、例えば、３以上であってもよい。その開放部には、通常、扉などが存在せず、開放されたままになっているものとする。また、空調空間２００は、地下街や、空港、駅などのような大規模な空間であってもよい。
【００３０】
また、本実施の形態では、図２で示されるように、空調空間２００が、水平方向及び垂直方向に分割された８個のブロック３０１ａ〜３０１ｈを有するものとする。ブロック３０１ａ〜３０１ｄは、空調空間２００の上方側のブロックであり、ブロック３０１ｅ〜３０１ｈは、空調空間２００の下方側のブロックである。なお、図２では、空調空間が垂直方向に２個のブロックに分割された例について示しているが、空調空間は、垂直方向に３個以上のブロックに分割されてもよい。
【００３１】
本実施の形態では、図４で示されるように、ブロック３０１ａ，３０１ｅの水平方向の領域は、区画２０１ａの水平方向の領域と一致しており、ブロック３０１ｂ，３０１ｆの水平方向の領域は、区画２０１ｂの水平方向の領域と一致しており、ブロック３０１ｃ，３０１ｇの水平方向の領域は、区画２０１ｃの水平方向の領域と一致しており、ブロック３０１ｄ，３０１ｈの水平方向の領域は、区画２０１ｄの水平方向の領域と一致しているものとするが、ブロックの水平方向の領域と、区画の水平方向の領域とは独立して決められてもよい。
【００３２】
また、区画、及びブロックは共に、空調空間２００において仮想的に設定されたものである。したがって、空調空間２００の実空間上には、区画の境界やブロックの境界に壁や仕切りなどが存在していなくてもよい。
【００３３】
空調機１２は、空気の温度を調整する。その空調に、ボイラーや冷凍機を有する熱源機器１１から供給される冷水や温水を用いてもよい。また、空調機１２は、例えば、湿度の調整や、換気、空気の清浄を行ってもよい。空調機１２によって調整された空気は、ダクト１３を介して、供給部１４に供給される。本実施の形態では、中央方式における空気供給方式によって空調が行われる場合について主に説明するが、その他の方式、例えば、中央方式における水・空気併用供給方式や水供給方式、分散方式における冷媒供給方式によって空調が行われてもよいことはいうまでもない。
【００３４】
［開放部における風量制御］
まず、開放部における風量の制御について説明する。
供給部１４は、空調機１２によって温度の調整された空気を、開放部に設けられた供給口１５から空調空間２００に可変風量で供給する。供給部１４は、例えば、可変風量装置（ＶＡＶ： Variable Air Volume）であってもよく、インバータ制御等によって風量を調整できる送風機であってもよく、両者の組み合わせであってもよく、または、風量を調整できるその他の構成であってもよい。本実施の形態では、供給部１４が可変風量装置である場合について主に説明する。供給部１４の供給口１５が開放部に設けられているとは、開放部の付近に設けられていればよい、という意味である。なお、供給部１４の供給口１５は、開放部よりも空調空間２００側に設けられていることが好適である。また、空調空間２００が複数の開放部を有する場合には、開放部のそれぞれに少なくとも１個の供給部１４が設けられることが好適である。なお、空調空間２００に複数の供給部が設けられている場合には、開放部に供給口１５が設けられている供給部が、供給部１４であると考えてもよい。
【００３５】
吸込部１８は、空調空間２００の空気を吸込口１６から可変風量で吸い込む。吸込口１６から吸い込まれた空気は、ダクト１７を介して吸込部１８に導かれ、吸込部１８から空調機１２に還気されてもよく、または、ダンパ１９、送風機２０を介して、外部に排気されてもよい。吸込口１６からの空気が還気されるか、排気されるかは、ダンパ１９や送風機２０を制御することによって変更できる。また、吸込口１６からの空気の一部が排気され、一部が還気されるようにしてもよい。また、吸込部１８は、例えば、可変風量装置であってもよく、インバータ制御等によって風量を調整できる送風機であってもよく、両者の組み合わせであってもよく、または、風量を調整できるその他の構成であってもよい。本実施の形態では、吸込部１８が、インバータ制御によって風量を調整できる送風機である場合について主に説明する。
【００３６】
センサ３１は、開放部における空調空間２００と屋外との間の風に関する風情報を取得する。風情報は、少なくとも風の強弱（すなわち、空気の移動の強弱）が分かるものであればよく、例えば、開放部における空調空間２００と屋外との間の風量を含んでいてもよく、開放部における空調空間２００と屋外との間の風の速度（風速）を含んでいてもよく、開放部における空調空間２００と屋外との間の風の方向（風向）を含んでいてもよい。その風向は、例えば、２次元または３次元の風向であってもよい。また、風情報に風向が含まれる場合には、センサ３１は、例えば、２次元または３次元の風速を取得するものであってもよい。したがって、センサ３１は、例えば、風量センサであってもよく、風向風速計であってもよく、風に関する情報を取得できるその他のセンサであってもよい。本実施の形態では、センサ３１が風向風速計であり、風情報に風速と風向とが含まれている場合について主に説明する。センサ３１によって取得された風情報は、例えば、有線または無線を介して風量制御部３４に渡されてもよい。
【００３７】
内部温度センサ３２は、空調空間２００の温度である内部温度を取得する。内部温度は、空調空間２００の温度であれば、どの位置の温度であってもよいが、開放部から離れた位置の温度であることが好適である。また、内部温度は、例えば、空調空間２００の複数の位置における温度の測定結果の代表値であってもよい。代表値は、例えば、平均や中央値であってもよい。内部温度センサ３２によって取得された内部温度は、例えば、有線または無線を介して風量制御部３４に渡されてもよい。
【００３８】
屋外温度センサ３３は、屋外の温度である屋外温度を取得する。屋外温度は、空調空間２００の外部の温度であれば、どの位置の温度であってもよいが、開放部の付近の屋外の温度であることが好適である。屋外温度によって、開放部から流入する外気の温度を知りたいからである。また、外気温度は、例えば、屋外の複数の位置における温度の測定結果の代表値であってもよい。代表値は、例えば、平均や中央値であってもよい。屋外温度センサ３３によって取得された屋外温度は、例えば、有線または無線を介して風量制御部３４に渡されてもよい。
【００３９】
風量制御部３４は、屋外温度が内部温度に対して、空調機１２による温度調整方向の目標側（すなわち、調整後の側）にある場合には、センサ３１によって取得される風向が、開放部において屋外から空調空間２００に空気が流入する方向となるように供給部１４の供給量と吸込部１８の吸込量との少なくとも一方を制御する。また、風量制御部３４は、そうでない場合、すなわち、屋外温度が内部温度に対して、空調機１２による温度調整方向の目標側にない場合には、センサ３１によって取得された風情報によって示される空調空間２００と屋外との間の風が弱くなるように、供給部１４の供給量と吸込部１８の吸込量との少なくとも一方を制御する。なお、空調空間２００と屋外との間の風が弱くなるとは、風量や風速の絶対値が小さくなること、すなわち、開放部における空調空間２００と屋外との間の空気の移動が少なくなることである。
【００４０】
温度調整方向とは、空調機１２によって冷房が行われる場合には、温度を下げる方向となり、空調機１２によって暖房が行われる場合には、温度を上げる方向となる。したがって、冷房の場合には、温度調整方向の目標側は、温度の低い側となり、暖房の場合には、温度調整方向の目標側は、温度の高い側となる。より具体的には、冷房が行われている場合において、屋外温度が内部温度に対して温度調整方向の目標側にあるときには、外部温度の方が内部温度よりも低いことになり、屋外温度が内部温度に対して温度調整方向の目標側にないときには、外部温度の方が内部温度よりも高いか同じであることになる。また、暖房が行われている場合において、屋外温度が内部温度に対して温度調整方向の目標側にあるときには、外部温度の方が内部温度よりも高いことになり、屋外温度が内部温度に対して温度調整方向の目標側にないときには、外部温度の方が内部温度よりも低いか同じであることになる。
【００４１】
屋外温度が内部温度に対して、空調機１２による温度調整方向の目標側にある場合には、空調空間２００に外気を導入することによって、空調機１２と同じ方向の温度の調整を行うことができるため、外気を導入するように、すなわち、開放部において屋外から空調空間２００に空気が流入する方向となるように制御されることになる。一方、屋外温度が内部温度に対して、空調機１２による温度調整方向の目標側にない場合には、空調空間２００に外気が流入すると、空調の効率が悪くなるため、開放部の位置において内部と外部との間での空気の移動が少なくなるように制御されることになる。なお、この場合の制御は、理想的には、開放部の位置における内部と外部との間での空気の移動がなくなるようにすることである。一方、制御を行わない場合よりも、制御を行った場合の方が、開放部における内部と外部との間での空気の移動が少なくなるのであれば、それだけ省エネルギーになっていると考えられる。したがって、風量制御部３４は、そのように、開放部における内部と外部との間での空気の移動が少なくなるように制御を行ってもよい。
【００４２】
なお、風量制御部３４による制御は、供給部１４の供給量を変更する制御であってもよく、吸込部１８の吸込量を変更する制御であってもよく、その両方であってもよい。開放部における外部から内部への空気の流入量を減らしたい場合には、風量制御部３４は、供給部１４の供給量の増加、及び／または、吸込部１８の吸込量の減少を行えばよい。また、開放部における外部から内部への空気の流入量を増やしたい場合、または、開放部における内部から外部への空気の流出量を減らしたい場合には、風量制御部３４は、供給部１４の供給量の減少、及び／または、吸込部１８の吸込量の増加を行えばよい。風量制御部３４による供給部１４や吸込部１８の制御は、風量制御部３４からの制御指示が有線または無線を介して供給部１４や吸込部１８に渡されることによって行われてもよい。
【００４３】
また、後述するように、空調空間２００には、複数の区画供給部４１によっても、空調空気が供給されることになるが、風量制御部３４は、複数の区画供給部４１による空調空気の供給が行われた状態において、上記の制御を行ってもよい。また、屋外温度が内部温度に対して、空調機１２による温度調整方向の目標側にある場合であっても、風量制御部３４は、開放部における屋外から空調空間２００の方向への風の強さが、所定の上限を超えないように制御してもよい。
【００４４】
また、風情報に風向が含まれていない場合には、風量制御部３４は、試行錯誤によって、開放部における風量や風速の絶対値が小さくなるように、供給部１４の供給量、及び吸込部１８の吸込量の少なくとも一方を制御してもよい。具体的には、風量制御部３４は、ある制御（例えば、供給量を増加させる制御）を行ったことにより、開放部における風量や風速の絶対値が上昇した場合には、逆の制御（例えば、供給量を減少させる制御）を行うようにしてもよい。
【００４５】
また、空調空間２００が複数の開放部を有しており、その開放部ごとに供給部１４が設けられている場合には、供給部１４ごとに、制御が変えられてもよい。例えば、図１において、センサ３１ａによって、外部から内部への流入の多いことが示され、センサ３１ｂによって、内外間の空気の移動がほとんどないことが示される場合には、風量制御部３４は、供給部１４ｂの風量は変更せず、供給部１４ａの風量を増やすように制御してもよい。
【００４６】
また、本実施の形態では、上記のように、内部温度と外部温度との関係に応じて、適宜、外気導入を行う場合について主に説明するが、そのような外気導入を行わなくてもよい。外気導入を行わない場合には、風量制御部３４は、内部温度と外部温度との関係に関わらず、センサ３１によって取得された風情報によって示される空調空間２００と屋外との間の風が弱くなるように、供給部１４の供給量と吸込部１８の吸込量との少なくとも一方を制御してもよい。その場合には、空調システム１００は、内部温度センサ３２や屋外温度センサ３３を備えていなくてもよい。また、その場合には、風情報に風向が含まれていなくてもよい。
【００４７】
［区画ごとの人流予測に応じた空調制御］
次に、区画ごとの人流の予測結果に応じて行われる区画ごとの空調制御について説明する。
区画供給部４１は、空調空間２００における１以上の区画ごとに設けられている。そして、区画供給部４１は、空調機１２によって温度の調整された空気を、その１以上の区画に供給する。本実施の形態では、１個の区画に、１個の区画供給部４１が設けられている場合について主に説明する。より具体的には、区画供給部４１ａ〜４１ｄは、それぞれ区画２０１ａ〜２０１ｄに設けられており、空調空気をそれぞれの区画に供給する。なお、ある区画に区画供給部４１が設けられているとは、その区画供給部４１が、その区画に空調空気を供給することを意味していると考えてもよい。なお、区画の大きさや形状は問わない。区画の形状は、例えば、矩形状や、正方形状、多角形状等であってもよい。また、区画が矩形状である場合に、１辺の長さは特に限定されるものではないが、例えば、３〜２０メートル程度であってもよい。また、複数の区画の面積は、例えば、同じであってもよく、または、異なっていてもよい。
【００４８】
中央方式における空気供給方式によって空調が行われる場合には、区画供給部４１は、可変風量で空調空気を各区画に供給してもよい。したがって、区画供給部４１は、例えば、可変風量装置であってもよく、インバータ制御等によって風量を調整できる送風機であってもよく、両者の組み合わせであってもよく、または、風量を調整できるその他の構成であってもよい。本実施の形態では、区画供給部４１が、可変風量装置である場合について主に説明する。
【００４９】
レーザレンジファインダ（レーザレンジセンサ）４２は、複数の方向についてそれぞれ距離を測定するセンサである。１個のレーザレンジファインダ４２は、１個の区画の全域について距離を測定できることが好適であるが、測域よりも区画の方が大きい場合には、２個以上のレーザレンジファインダ４２を用いて、１個の区画の全域について距離を測定してもよい。レーザレンジファインダ４２による測定結果は、例えば、有線または無線を介して人流取得部４３に渡されてもよい。
【００５０】
人流取得部４３は、区画ごとの人流情報を取得する。人流情報とは、人流に関する情報である。ある区画の人流情報は、例えば、その区画における単位時間あたりの総通行時間を含んでもよく、その区画における単位時間あたりの通行者数を含んでもよい。ある区画における単位時間あたりの総通行時間とは、その区画における通行者ごとの通行時間に関する単位時間分の総和である。例えば、単位時間に相当する期間内に、ある区画を、一人目の通行者が１０秒で通行し、二人目の通行者が５秒で通行し、三人目の通行者が１５秒で通行した場合には、その区画における単位時間あたりの総通行時間は、３０秒（＝１０＋５＋１５）となる。また、ある区画における単位時間あたりの通行者数とは、その区画における単位時間あたりの通行者の延べ人数である。上記の例の場合には、三人となる。なお、複数の区画の面積が等しくない場合には、人流情報は、その面積を考慮した値、例えば、単位面積あたりの値となっていてもよい。そのため、人流情報は、例えば、人密度であってもよい。
【００５１】
レーザレンジファインダ４２の計測結果を用いて、通行者の動線を推定する人流計測システムが知られている。その人流計測システムについては、例えば、特開２０１６−００９２８１号公報等を参照されたい。同様の手法を用いることによって、人流取得部４３は、ある区画に対応するレーザレンジファインダ４２の測定結果に基づいて、各通行者の動線を得ることができ、総通行時間や通行者数を取得することができる。
【００５２】
なお、本実施の形態では、レーザレンジファインダ４２の測定結果を用いて人流情報を取得する場合について主に説明するが、人流取得部４３は、他のセンサ等による測定結果を用いて人流情報を取得してもよい。その場合には、空調システム１００は、例えば、レーザレンジファインダ４２に代えて、人流情報の取得で用いる他のセンサ等を備えていてもよい。
【００５３】
人流取得部４３は、例えば、カメラによる撮影画像を用いて、人流情報を取得してもよい。その場合には、人流取得部４３は、例えば、撮影画像である動画において、人物を認識し、その認識した人物のトラッキングを行うことによって、各通行者の動線を得ることができ、上記と同様に、総通行時間や通行者数を取得することができる。また、撮影画像を用いた場合には、通行者の属性（例えば、性別や年齢等）を取得することもできる。したがって、この場合には、人流取得部４３は、例えば、通行者の属性の分布（例えば、性別の割合や年代ごとの割合等）を含む人流情報を取得してもよい。
【００５４】
人流取得部４３は、例えば、サーモカメラによる撮影画像を用いて、人流情報を取得してもよい。その場合には、人流取得部４３は、例えば、サーモカメラによる撮影画像において、人物を認識し、その認識した人物のトラッキングを行うことによって、各通行者の動線を得ることができ、上記と同様に、総通行時間や通行者数を取得することができる。
【００５５】
また、ある区画への進入経路が複数ある場合、例えば、屋外からの進入経路や、店舗からの進入経路などがある場合には、人流取得部４３は、進入経路の分布（例えば、進入経路ごとの割合等）を含む人流情報を取得してもよい。
【００５６】
また、人流取得部４３は、後述する学習器を用いた人流予測において、学習器に入力する情報となる、人流情報以外の情報を取得してもよい。例えば、後述するように、学習器に入力される人流情報に対応する時点に関する属性情報を取得してもよく、学習器から出力される人流情報に対応する時点（例えば、現時点から所定の期間内の時点など）に関する属性情報を取得してもよい。その時点は、例えば、ピンポイントの時点であってもよく、または、幅を有する期間であってもよい。その属性情報は、例えば、属性情報に対応する時点の時間に関する情報（以下、「時間情報」と呼ぶ。）を含んでいてもよく、属性情報に対応する時点の天候に関する情報（以下、「天候情報」と呼ぶ。）を含んでいてもよく、属性情報に対応する時点のイベントに関する情報（以下、「イベント情報」と呼ぶ。）を含んでいてもよく、属性情報に対応する時点のその他の情報を含んでいてもよい。
【００５７】
時間情報は、例えば、春、夏、冬、秋などを示す季節を含んでいてもよく、１月、２月などの月を含んでいてもよく、月曜、火曜などの曜日を含んでいてもよく、平日か休日かを示す情報を含んでいてもよく、７時台、８時台などの時間や、早朝、朝ラッシュなどの時間帯を含んでいてもよく、時間に関するその他の情報を含んでいてもよい。人流取得部４３は、例えば、図示しないカレンダー部や時計部などから、時間情報を取得してもよい。
【００５８】
天候情報は、例えば、晴、曇、雨などの天気を含んでいてもよく、温度を含んでいてもよく、湿度を含んでいてもよく、風速を含んでいてもよく、日照時間を含んでいてもよく、天候に関するその他の情報を含んでいてもよい。その天気や温度、湿度、風速、日照時間等は、通常、空調空間２００の付近の屋外における情報である。人流取得部４３は、天候情報を、例えば、気象庁などのウェブサイトから取得してもよく、天気や温度等を取得するセンサ等から取得してもよい。なお、学習器から出力される人流情報に対応する時点に関する天候情報は、例えば、天候に関して予測された情報であってもよい。
【００５９】
イベント情報は、例えば、空調空間２００内におけるイベントに関する情報を含んでいてもよく、空調空間２００外におけるイベントに関する情報を含んでいてもよく、空調空間２００内または空調空間２００外における交通機関に関する情報を含んでいてもよく、イベントに関するその他の情報を含んでいてもよい。空調空間２００内におけるイベントに関する情報や、空調空間２００外におけるイベントに関する情報は、例えば、対応する時点にイベントが有るかどうかを示すイベントの有無や、大規模や中規模、小規模などのイベントの規模、花火大会、祭り、野球の試合、サッカーの試合などのイベントの種類などを含んでいてもよい。交通機関に関する情報は、例えば、対応する時点における遅延の有無や、乗降車数、電車やバスの発車や到着の有無等を含んでいてもよい。人流取得部４３は、イベント情報を、例えば、イベントに関する情報が掲載されているウェブサイトから取得してもよく、管理者等が手入力した情報を読み出すことによって取得してもよい。
【００６０】
属性情報も取得する場合には、人流取得部４３は、人流情報を取得した際に、例えば、その人流情報に対応する時点の属性情報を取得してもよい。取得された属性情報は、例えば、人流情報に対応付けられて、図示しない記録媒体に蓄積されてもよい。また、人流取得部４３は、学習器を用いた人流情報の取得を行い場合に、学習器から出力される人流情報に対応する時点に関する属性情報を取得してもよい。
【００６１】
記憶部４４では、学習器が記憶される。この学習器は、区画ごとに取得された所定の期間の人流情報を含む訓練用入力情報と、所定の期間の後に区画ごとに取得された人流情報である訓練用出力情報との組を複数用いて学習されたものである。なお、訓練用入力情報と訓練量出力情報との組を訓練情報と呼ぶこともある。
【００６２】
訓練用出力情報に含まれる人流情報に対応する時点は、その訓練用出力情報と組になる訓練用入力情報に含まれる人流情報に対応する最後の時点の直後であってもよい。その場合には、例えば、訓練用入力情報に、８：００〜８：３０の人流情報と、８：３０〜９：００の人流情報と、９：００〜９：３０の人流情報と、９：３０〜１０：００の人流情報が含まれ、その訓練用出力情報と組になる訓練用出力情報に、１０：００〜１０：３０の人流情報が含まれてもよい。
【００６３】
一方、訓練用出力情報に含まれる人流情報に対応する時点は、その訓練用出力情報と組になる訓練用入力情報に含まれる人流情報に対応する最後の時点の直後でなくてもよい。その場合には、例えば、訓練用入力情報に、ある日の８：００〜８：３０の人流情報と、８：３０〜９：００の人流情報と、９：００〜９：３０の人流情報と、９：３０〜１０：００の人流情報が含まれ、その訓練用出力情報と組になる訓練用出力情報に、その日の１週間後の９：３０〜１０：００の人流情報が含まれてもよい。
【００６４】
訓練用入力情報に、その訓練用入力情報に含まれる人流情報に対応する時点に関する属性情報が含まれてもよく、その訓練用入力情報と組になる訓練用出力情報に含まれる人流情報に対応する時点に関する属性情報が含まれてもよい。例えば、訓練用入力情報に複数の時点に対応する人流情報が含まれる場合には、その訓練用入力情報に、各時点に関する属性情報が含まれてもよく、または、一部の時点に関する属性情報が含まれてもよい。また、訓練用出力情報に複数の時点に対応する人流情報が含まれる場合には、その訓練用出力情報と組になる訓練用入力情報に、各時点に関する属性情報が含まれてもよく、または、一部の時点に関する属性情報が含まれてもよい。
【００６５】
学習器は、例えば、ニューラルネットワーク（ＮＮ：Neural Network）の学習結果であってもよく、サポートベクターマシン（ＳＶＭ：Support Vector Machine）やサポートベクター回帰（ＳＶＲ：Support Vector Regression）の学習結果であってもよく、または、それ以外の機械学習の学習結果であってもよい。
【００６６】
ニューラルネットワークは、例えば、畳み込みニューラルネットワーク（ＣＮＮ：Convolutional Neural Network）であってもよく、それ以外のニューラルネットワーク（例えば、全結合層から構成されるニューラルネットワーク等）であってもよい。畳み込みニューラルネットワークとは、１以上の畳み込み層を有するニューラルネットワークのことである。また、ニューラルネットワークが少なくとも１個の中間層（隠れ層）を有する場合には、そのニューラルネットワークの学習は、深層学習（ディープラーニング、Deep Learning）であると考えてもよい。また、機械学習にニューラルネットワークを用いる場合において、そのニューラルネットワークの層数、各層におけるユニット数、各層の種類（例えば、畳み込み層、全結合層など）等については、適宜、選択したものを用いてもよい。なお、入力層と出力層のユニット数は、通常、訓練情報に含まれる訓練用入力情報と訓練用出力情報とによって決まることになる。本実施の形態では、学習器がＣＮＮの学習結果である場合について主に説明し、それ以外の場合については後述する。
【００６７】
なお、学習器が記憶部４４で記憶されているとは、例えば、学習器そのもの（例えば、入力に対して値を出力する関数や学習結果のモデル等）が記憶されていることであってもよく、学習器を構成するために必要なパラメータ等の情報が記憶されていることであってもよい。後者の場合であっても、そのパラメータ等の情報を用いて学習器を構成できるため、実質的に学習器が記憶部４４で記憶されていると考えることができるからである。本実施の形態では、学習器そのものが記憶部４４で記憶されている場合について主に説明する。
【００６８】
記憶部４４に学習器が記憶される過程は問わない。例えば、記録媒体を介して学習器が記憶部４４で記憶されるようになってもよく、通信回線等を介して送信された学習器が記憶部４４で記憶されるようになってもよい。記憶部４４での記憶は、ＲＡＭ等における一時的な記憶でもよく、または、長期的な記憶でもよい。記憶部４４は、所定の記録媒体（例えば、半導体メモリや磁気ディスク、光ディスクなど）によって実現されうる。
【００６９】
ここで、学習器の生成について説明する。図５は、本実施の形態による学習器製造装置４００の構成を示すブロック図である。本実施の形態による学習器製造装置４００は、訓練情報受付部４０１と、学習器製造部４０２と、学習器出力部４０３とを備える。学習器製造装置４００は、通常、学習を行う情報処理装置であるが、例えば、携帯可能な情報処理端末等の汎用の装置であってもよく、学習を行う専用の装置であってもよく、サーバ等であってもよい。
【００７０】
訓練情報受付部４０１は、区画ごとに取得された所定の期間の人流情報を含む訓練用入力情報と、その所定の期間の後に区画ごとに取得された人流情報である訓練用出力情報との組を複数受け付ける。訓練用入力情報には、上記の属性情報が含まれてもよい。その属性情報は、上記のように、訓練用入力情報に含まれる人流情報に対応する時点に関する属性情報が含まれてもよく、訓練用出力情報に含まれる人流情報に対応する時点に関する属性情報が含まれてもよい。また、上記以外の属性情報が訓練用入力情報に含まれてもよい。具体的には、図１１（ａ）を用いて後述するように、各区画に空調空間である通路が含まれるかどうかを示す属性情報が訓練用入力情報に含まれてもよい。
【００７１】
人流取得部４３によって取得された人流情報や属性情報を用いて、複数の訓練情報が構成されてもよい。例えば、３０分ごとに人流情報及び属性情報を取得している場合には、連続した２時間分の人流情報、すなわち４個の人流情報を訓練用入力情報に含み、その２時間の直後の３０分間の人流情報を訓練用出力情報に含む訓練情報を用意することができる。また、訓練用入力情報に含まれる４個の人流情報にそれぞれ対応する属性情報を訓練用入力情報に含めるようにしてもよく、４個の人流情報の一部に対応する属性情報を訓練用入力情報に含めるようにしてもよい。また、訓練用出力情報に含まれる１個の人流情報に対応する属性情報を訓練用入力情報に含めるようにしてもよい。また、３０分ごとに時間帯をずらすことによって、別の訓練情報を用意することができる。このようにして、複数の訓練情報を用意し、訓練情報受付部４０１に入力することができる。
【００７２】
なお、訓練用入力情報に含まれる人流情報の個数は、例えば、１個であってもよく、２個以上であってもよく、その個数は問わない。また、訓練用入力情報に含まれる人流情報は、例えば、数時間程度の人流情報であってもよく、１週間程度の人流情報であってもよく、その期間は問わない。また、訓練用入力情報に複数の人流情報が含まれている場合に、その複数の人流情報は、連続した期間に対応していてもよい。
【００７３】
また、訓練用出力情報に含まれる人流情報の個数は、例えば、１個であってもよく、２個以上であってもよく、その個数は問わない。また、訓練用出力情報に含まれる人流情報は、例えば、３０分程度の人流情報であってもよく、１時間程度の人流情報であってもよく、１日程度の人流情報であってもよく、その期間は問わない。また、訓練用出力情報に複数の人流情報が含まれている場合に、その複数の人流情報は、連続した期間に対応していてもよい。
【００７４】
また、訓練用入力情報に、訓練用入力情報に含まれる人流情報に対応する属性情報は含まれているが、訓練用出力情報に含まれる人流情報に対応する属性情報は含まれていなくてもよく、逆に、訓練用入力情報に含まれる人流情報に対応する属性情報は含まれていないが、訓練用出力情報に含まれる人流情報に対応する属性情報は含まれていてもよい。また、訓練用入力情報に、訓練用入力情報に含まれる人流情報に対応する属性情報と、訓練用出力情報に含まれる人流情報に対応する属性情報との両方が含まれていてもよい。
【００７５】
訓練用入力情報に、複数の人流情報に対応する属性情報が含まれている場合であって、その複数の人流情報について共通している属性情報については、複数の人流情報に対応する１つの属性情報にまとめられてもよい。例えば、訓練用入力情報に４個の人流情報が含まれ、訓練用出力情報に１個の人流情報が含まれ、それらに対応する季節や、月、曜日などの時間情報が共通している場合には、５個の人流情報に対応する１個の時間情報が、訓練用入力情報に含まれるようにしてもよい。なお、天候情報などのように、時間の経過に応じて変化する属性情報については、各人流情報に対応する属性情報がそれぞれ、訓練用入力情報に含まれることが好適である。
【００７６】
以下、機械学習が畳み込みニューラルネットワークの機械学習である場合における訓練情報について、具体的に説明する。
図９（ａ）は、開放部を有する空調空間である地下街の地図の一例を示す図である。図９（ａ）において、通路である空調空間の領域を斜線で示している。図９（ｂ）は、図９（ａ）で示される地下街が複数の区画に分割された状態を示す図である。図９（ｂ）で示されるように、図９（ａ）で示される地下街の地図は、幅方向が１０区画、高さ方向が５区画に分割され、合計５０区画を有していることになる。そのうち、空調空間である通路の区画は１６個である。なお、ここでは、通路の一部が含まれる区画は、通路の区画であるとしている。
【００７７】
例えば、人流情報などのように、区画ごとに値が異なる情報については、図９（ｃ）で示されるように、対応する区画ごとに値を有する１０×５の行列（画像）となる。ただし、空調空間以外の区画については、０を設定している。この場合には、１個の区画の情報が１画素の情報となっている。また、人流情報の値は、０から１までの値となるように正規化している。すなわち、空調空間の地図がグリッド状に分割され、１つの区画が１個の画素に対応し、１つの区画の情報（例えば、人流情報等）が、１個の画素の画素値に対応するように入力情報が構成されることになる。人流情報以外の気温や湿度等の定量的な情報も、０から１までの値となるように正規化されることが好適である。一方、定性的な情報は、バイナリ変数化して訓練情報に含めるようにしてもよい。なお、定量的な情報であっても、バイナリ変数化された定性的な情報であっても、区画ごとに値が変化するものについては、図９（ｃ）と同様に、区画ごとに値の異なる画像として訓練情報に含めるようにしてもよい。例えば、空調空間の一部においてイベントが行われる場合には、区画ごとにイベントの有無を示す情報が、イベント情報として用いられてもよい。また、そのイベント情報において、イベントの有無を示す情報に代えて、イベントの規模に応じた数値が定量的な情報として用いられてもよい。一方、区画ごとに値が変化しない情報、例えば、時間情報や天候情報等の属性情報については、すべての画素値が「０」である画像、またはすべての画素値が「１」である画像によって表現されてもよい。すなわち、区画ごとに値が変化しない情報については、すべての画素値が同じ値になる画像が入力情報として用いられてもよい。上記のことは、出力情報についても同様である。また、以下の説明において、Ｗ×Ｈは、画像の幅×高さであるとする。また、Ｗ×Ｈ×Ｃと記載した場合には、Ｃはチャネル数を示すものとする。
【００７８】
図１０は、訓練用入力情報に含まれる４個の人流情報の一例を示す図である。図１０（ａ）は、ある日の８：００〜８：３０の人流情報であり、図１０（ｂ）は、同日の８：３０〜９：００の人流情報であり、図１０（ｃ）は、同日の９：００〜９：３０の人流情報であり、図１０（ｄ）は、同日の９：３０〜１０：００の人流情報である。図１０では、それぞれ地下街の地図上に値を示しているが、訓練用入力情報に含まれる人流情報は、１０×５の画像となる。したがって、この場合には、訓練用入力情報に含まれる人流情報は、１０×５×４の画像となる。
【００７９】
なお、人流情報が、総通行時間と通行者数との両方である場合には、総通行時間に対応する画像と、通行者数に対応する画像とが必要になるため、訓練用入力情報に含まれる人流情報は、１０×５×８の画像となってもよい。また、人流情報に、通行者の性別の分布が含まれる場合には、その性別の分布を示す人流情報も、１０×５×４の画像となってもよい。
【００８０】
図１１（ａ）は、各区画に空調空間（すなわち、通路）が含まれるかどうかを示す属性情報である。図１１（ａ）では、空調空間である通路を含む区画に「１」が設定されており、それ以外の区画が「０」に設定されている。また、図１１（ａ）で示される画像とは別に、空調空間である通路を含む区画に「０」が設定されており、それ以外の区画に「１」が設定されている、空調空間である通路を含まない区画を示す属性情報も訓練用入力情報に含まれてもよい。両者が訓練用入力情報に含まれる場合には、チャネル数が２個増えることになる。なお、このような各区画に空調空間が含まれているかどうかを示す属性情報は、図９（ａ）で示される地下街の通路においてのみ、人流予測を行う場合には用いなくてもよいが、異なる２以上の領域について人流予測を行う場合には、用いることが好適である。
【００８１】
図１１（ｂ）は、人流情報に対応する時点の月を示す属性情報の一例を示す図である。図１１（ｂ）で示されるように、人流情報に対応する時点が６月である場合には、６月に対応する画像の各値が「１」となり、それ以外の月に対応する画像の各値が「０」となるように設定されてもよい。この場合には、１２チャネルの画像を用いて、人流情報に対応する時点の月を示すことができる。
【００８２】
図１１（ｃ）は、人流情報に対応する時点の曜日を示す属性情報の一例を示す図である。図１１（ｃ）で示されるように、人流情報に対応する時点が日曜日である場合には、日曜日に対応する画像の各値が「１」となり、それ以外の曜日に対応する画像の各値が「０」となるように設定されてもよい。この場合には、７チャネルの画像を用いて、人流情報に対応する時点の曜日を示すことができる。
【００８３】
図１２（ａ）は、人流情報に対応する時点が平日か祝日かを示す属性情報の一例を示す図である。図１２（ａ）で示されるように、人流情報に対応する時点が平日である場合には、平日に対応する画像の各値が「１」となり、祝日に対応する画像の各値が「０」となるように設定されてもよい。この場合には、２チャネルの画像を用いて、人流情報に対応する時点が平日か祝日かを示すことができる。
【００８４】
図１２（ｂ）は、人流情報に対応する時点が、早朝、朝ラッシュ、午前中間帯、昼、午後中間帯、夕ラッシュ、夜、深夜のいずれであるのかを示す属性情報の一例を示す図である。図１２（ｂ）で示されるように、人流情報に対応する時点が午前中間帯である場合には、午前中間帯に対応する画像の各値が「１」となり、それ以外の時間帯に対応する画像の各値が「０」となるように設定されてもよい。この場合には、８チャネルの画像を用いて、人流情報に対応する時点の時間帯を示すことができる。
【００８５】
図１２（ｃ）は、人流情報に対応する時点の天気を示す属性情報の一例を示す図である。図１２（ｃ）で示されるように、人流情報に対応する時点の天気が曇である場合には、曇に対応する画像の各値が「１」となり、晴、雨に対応する画像の各値が「０」となるように設定されてもよい。この場合には、３チャネルの画像を用いて、人流情報に対応する時点の天気を示すことができる。
【００８６】
図１２（ｄ）は、人流情報に対応する時点の外気温を示す属性情報の一例を示す図である。図１２（ｄ）で示されるように、人流情報に対応する時点の外気温２５℃である場合には、外気温に対応する画像の各値が、その外気温が正規化された「０．６５」となるように設定されてもよい。この場合には、１チャネルの画像を用いて、人流情報に対応する時点の外気温を示すことができる。したがって、訓練用入力情報に、外気温、外気湿度、風速、日照時間が含まれる場合には、それらの情報は、４チャネルの画像となってもよい。
【００８７】
図１３は、訓練用出力情報に含まれる１個の人流情報の一例を示す図である。図１３は、図１０（ａ）〜図１０（ｄ）と同日の１０：００〜１０：３０の人流情報である。図１３で示される人流情報は、１０×５の画像となる。なお、訓練用入力情報に、総通行時間を示す人流情報と、通行者数を示す人流情報との両方が含まれる場合には、訓練用出力情報にも、両者の人流情報が含まれてもよい。その場合には、訓練用出力情報に含まれる人流情報は、１０×５×２の画像となってもよい。また、訓練用入力情報に、通行者の性別の分布を示す人流情報が含まれる場合には、訓練用出力情報にも、通行者の性別の分布を示す人流情報が含まれてもよい。その訓練用出力情報に含まれる、性別の分布を示す人流情報は、１０×５の画像となってもよい。
【００８８】
例えば、訓練用入力情報に、図１０で示される４チャネルの人流情報の画像が含まれ、図１１（ａ）に対応する、２チャネルの画像が含まれ、図１１（ｂ）、図１１（ｃ）、図１２（ａ）に対応する合計２１チャネルの画像が含まれるとすると、それらの合計は、２７チャネルとなる。また、図１２（ｂ）に対応する８チャネルの画像と、図１２（ｃ）に対応する３チャネルの画像と、図１２（ｄ）に関連する、外気温、外気湿度、風速、日照時間の４チャネルの画像が、入力及び出力に含まれる５個の人流情報のそれぞれについて含まれるとすると、それらの合計は、７５（＝１５×５）チャネルとなる。その結果、訓練用入力情報に含まれる画像は、合計１０２チャネルとなる。したがって、例えば、訓練用入力情報には、１０×５×１０２の画像が含まれ、訓練用出力情報には、１０×５×１の画像が含まれることになる。なお、このような訓練情報が複数、用意されることになる。
【００８９】
訓練情報受付部４０１は、例えば、有線または無線の通信回線を介して送信された情報を受信してもよく、所定の記録媒体（例えば、光ディスクや磁気ディスク、半導体メモリなど）から読み出された情報を受け付けてもよい。なお、訓練情報受付部４０１は、受け付けを行うためのデバイス（例えば、モデムやネットワークカードなど）を含んでもよく、または含まなくてもよい。また、訓練情報受付部４０１は、ハードウェアによって実現されてもよく、または所定のデバイスを駆動するドライバ等のソフトウェアによって実現されてもよい。
【００９０】
学習器製造部４０２は、訓練用入力情報と訓練用出力情報との複数の組を学習することによって学習器を製造する。この学習器は、区画ごとに取得された所定の期間の人流情報を含む訓練用入力情報と、その所定の期間の後に区画ごとに取得された人流情報である訓練用出力情報との複数の組の機械学習の結果である。したがって、例えば、この学習器に、所定の期間の人流情報を含む入力情報が適用されると、その入力情報に含まれる人流情報に対応する期間の後の区画ごとの人流情報である出力情報を得ることができる。なお、入力情報には、訓練用入力情報と同様の情報が含まれていることが好適である。例えば、訓練用入力情報に属性情報が含まれている場合には、入力情報にも、同様の属性情報が含まれていることが好適である。より具体的には、訓練用入力情報が１０×５×１０２の画像である場合には、入力情報も同様に、１０×５×１０２の画像であることが好適である。なお、この学習の詳細については後述する。
【００９１】
学習器出力部４０３は、学習器製造部４０２によって製造された学習器を出力する。学習器出力部４０３によって出力された学習器が、図３で示される空調システム１００の記憶部４４で記憶されることになる。ここで、この出力は、例えば、所定の機器への通信回線を介した送信でもよく、記録媒体への蓄積でもよく、他の構成要素への引き渡しでもよい。なお、学習器出力部４０３は、出力を行うデバイス（例えば、通信デバイスなど）を含んでもよく、または含まなくてもよい。また、学習器出力部４０３は、ハードウェアによって実現されてもよく、または、それらのデバイスを駆動するドライバ等のソフトウェアによって実現されてもよい。
【００９２】
次に、学習器製造部４０２による機械学習について説明する。この機械学習は、教師ありの学習であり、ニューラルネットワークの学習であってもよく、サポートベクターマシンやサポートベクター回帰の学習であってもよく、または、それ以外の機械学習であってもよい。ここでは、機械学習がニューラルネットワークの学習である場合について主に説明する。
【００９３】
学習器であるニューラルネットワークは、例えば、入力画像の各画素値に対して所定の演算を行い、出力画像の各画素値を出力する畳み込みニューラルネットワークであってもよい。そのニューラルネットワークは、例えば、図１４で示されるように、入力層の後段に、複数の畳み込み層（ｃｏｎｖ１，ｃｏｎｖ２）を有していてもよい。図１４は、入力層から出力層（全結合２）までの各層の構成の一例を示すものである。機械学習によって、複数の畳み込み層の各フィルタのパラメータ値や、全結合層のパラメータ値が算出されることになる。なお、このニューラルネットワークは、前段に複数の連続した畳み込み層を有しており、その畳み込み層の後段に１以上のプーリング層を有しており、そのプーリング層の後段に２以上の全結合層を有しているものであってもよい。そのニューラルネットワークが有する連続した畳み込み層の層数は問わない。例えば、ニューラルネットワークは、連続した２層以上の畳み込み層を有してもよく、連続した３層以上の畳み込み層を有してもよい。また、そのニューラルネットワークが有する全結合層の層数は問わない。例えば、ニューラルネットワークは、１層の全結合層を有してもよく、連続した２層以上の全結合層を有してもよく、連続した３層以上の全結合層を有してもよい。
【００９４】
また、ニューラルネットワークの各層において、適宜、パディングが行われてもよい。そのパディングは、例えば、ゼロパディングであってもよく、画像の最外周の画素値を外挿するパディングであってもよく、画像の各辺で折り返した画素値とするパディングであってもよい。図１４では、２個の畳み込み層において、サイズ１のパディングを行っている例について示している。また、プーリング層におけるフィルタサイズ（２×２）は、プーリングサイズを示している。プーリングは、例えば、最大値プーリングであってもよく、平均プーリングであってもよく、その他のプーリングであってもよい。後述する実験においては、最大値プーリングを使用した。
【００９５】
また、各層におけるストライドは問わないが、例えば、畳み込み層におけるストライドは、１または２などの小さい値であることが好適であり、プーリング層のストライドは、２以上であることが好適である。
【００９６】
また、各層において、バイアスを用いてもよく、または、用いなくてもよい。バイアスを用いるかどうかは、層ごとに独立して決められてもよい。そのバイアスは、例えば、層ごとのバイアスであってもよく、または、フィルタごとのバイアスであってもよい。前者の場合には、各層において１個のバイアスが用いられることになり、後者の場合には、各層において１個以上（フィルタと同数）のバイアスが用いられることになる。畳み込み層でバイアスを用いる場合には、各画素値にフィルタのパラメータを掛けて足し合わせた結果にバイアスを加算したものが、活性化関数に入力されることになる。
【００９７】
ニューラルネットワークにおける各設定は、次のようであってもよい。活性化関数は、例えば、ＲｅＬＵ（正規化線形関数）であってもよく、シグモイド関数であってもよく、その他の活性化関数であってもよい。また、学習では、例えば、誤差逆伝搬法を用いてもよく、ミニバッチ法を用いてもよい。また、損失関数（誤差関数）は、平均二乗誤差であってもよい。また、ｅｐｏｃｈ数（パラメータの更新回数）は特に問わないが、過剰適合とならないｅｐｏｃｈ数が選択されることが好適である。なお、機械学習における学習方法としては、公知の方法を用いることができ、その詳細な説明を省略する。
【００９８】
なお、本実施の形態では、ニューラルネットワークに入力される人流情報が画像状のものである場合について主に説明するが、そうでなくてもよい。例えば、人流情報は、区画ごとの人流に関する情報であり、画像状の情報でなくてもよい。その場合には、例えば、図９等で示される例において、区画ごとに値が変化する情報、例えば、人流情報については、チャネル数に区画数（図９では１６個）を掛けた個数の情報量となり、区画ごとに値が変化しない情報については、チャネル数に相当する個数の情報量となる。また、この場合には、図１１（ａ）に対応する２チャネルの情報は不要となる。したがって、入力される情報数は、４チャネルの人流情報に対応する６４（＝４×１６）個と、９６チャネルのそれ以外の情報に対応する９６個とになり、入力層のユニット数は１６０（＝６４＋９６）個となる。この場合には、ニューラルネットワークの各層は、すべて全結合層であってもよい。その全結合層の層数は、例えば、２個であってもよく、３個であってもよく、４個以上であってもよい。なお、本願の発明者らによる実験によれば、図９等で示されるように、入力情報を画像状の情報とした方が、そうでない場合よりも予測の精度が高かった。詳細な理由は不明であるが、おそらく、図９（ｃ）で示されるように人流情報を入力することによって、各区画の隣接状況等についても学習されることになり、その結果として、予測の精度が向上したのではないかと推察される。
【００９９】
また、畳み込みニューラルネットワークを用いる場合であっても、例えば、図９等の例において、１６個の区画を、４×４の画像にした人流情報を用いて学習を行ってもよい。その場合には、実空間において近い区画が、入力画像において近い位置となるように４×４の入力画像が構成されることが好適である。この場合にも、図９等の情報を用いた畳み込みニューラルネットワークにおける学習よりは、精度が低下するのではないかと考えられる。
【０１００】
なお、学習器として、ニューラルネットワーク以外の学習結果である学習器を用いてもよいことは上記のとおりである。例えば、ＳＶＭやＳＶＲの学習結果である学習器が用いられてもよい。その場合には、例えば、区画ごとに学習が行われてもよい。具体的には、空調空間が１６個の区画に分割される場合には、１６個の区画にそれぞれ対応する１６個の学習器が製造され、１６個の区画の人流予測に１６個の学習器が用いられてもよい。その場合における入力情報や出力情報としては、上記のニューラルネットワークの学習における入力情報や出力情報が区画ごとの情報となった以外は、上記と同様の入力情報や出力情報を用いることができる。なお、ＳＶＭを用いて人流情報の予測を行う場合には、人流情報を複数の段階（例えば、３段階や５段階など）に分類し、ＳＶＭの多値分類の手法を用いて、その人流情報に関する段階を予測するようにしてもよい。
【０１０１】
図３に戻り、人流予測部４５は、人流取得部４３によって取得された、所定の期間の人流情報を含む入力情報を学習器に適用することによって、予測された人流情報を取得する。なお、入力情報の画像サイズや情報数は、訓練用入力情報の画像サイズや情報数と同じであることが好適である。そのため、入力情報には、例えば、訓練用入力情報と同様に、属性情報が含まれていてもよい。その属性情報は、例えば、上記のように、人流取得部４３によって取得されてもよい。人流予測部４５は、入力情報を学習器に入力することによって、その学習器の出力である出力情報、すなわち予測された人流情報を取得することができる。記憶部４４に学習器である関数やモデル等が記憶されている場合には、人流予測部４５は、撮影画像について、その関数やモデル等を用いた演算を行うことによって出力情報を取得してもよい。
【０１０２】
また、人流予測部４５は、人流の平均速度を含む人流情報を取得してもよい。この平均速度は、ある区画における、通行人ごとの速度の平均値であってもよい。例えば、人流情報に、ある区画の単位時間あたりの総通行時間と、単位時間あたりの通行者数とが含まれる場合には、その区画の通行方向の長さを用いて、次のように人流の平均速度を算出することができる。
人流の平均速度＝区画の通行方向の長さ×単位時間あたりの通行者数／単位時間あたりの総通行時間
【０１０３】
なお、区画が一方向に延びる通路などであれば、その区画の通行方向の長さは、その一方向に延びる通路の長さとなる。一方、区画が十字路や曲がり角などのように、一方向に延びる通路ではない場合には、通行者の通行特性等を考慮して、平均的な通行方向の長さを特定し、その特定した通行方向の長さを上記平均速度の計算に用いてもよい。また、人流情報を用いて人流の平均速度を算出できる場合には、その人流情報に人流の平均速度が含まれていると考えてもよい。その場合には、人流情報に、人流の平均速度そのものが含まれているのと同等であると考えられるからである。具体的には、上記のように、人流情報に歩行者数と総通行時間とが含まれる場合には、人流情報に、人流の平均速度が含まれていると考えてもよい。
【０１０４】
なお、本実施の形態では、学習器を用いて人流予測を行う場合について主に説明するが、人流予測部４５は、学習器を用いないで、区画ごとに、人流に関する情報である人流情報を予測してもよい。具体的には、人流の変化には、１週間周期や１年周期などの周期性があるというモデルに基づいて、区画ごとの人流情報の履歴を用いて人流予測を行ってもよい。その場合には、人流予測部４５は、例えば、予測対象の時点の１週間前や１年前の人流に関する人流情報を、予測した人流情報として取得してもよい。また、人流を予測するその他の手法を用いて、人流の予測を行ってもよい。その他の手法としては、例えば、特開２０１８−１９５２１５号公報を参照されたい。そのように、学習器を用いないで人流予測を行う場合には、空調システム１００は、記憶部４４を備えていなくてもよい。また、学習器を用いない人流予測に、人流取得部４３によって取得された人流情報等を用いない場合には、空調システム１００は、人流取得部４３も備えていなくてもよい。
【０１０５】
区画制御部４６は、人流予測部４５によって予測された人流情報に基づいて、複数の区画供給部４１を制御する。なお、予測された人流情報に基づく複数の区画供給部４１の制御とは、その複数の区画供給部４１の制御に少なくとも人流情報が用いられるという意味である。したがって、後述するように、その制御に、例えば、人流情報が直接用いられてもよく、または、人流情報を用いて算出された発熱量が用いられてもよい。区画制御部４６による区画供給部４１の制御は、区画制御部４６からの制御指示が有線または無線を介して区画供給部４１に渡されることによって行われてもよい。
【０１０６】
その制御は、例えば、人流に応じた熱負荷の多い区画と、少ない区画とについて、異なる制御を行うことであってもよい。例えば、区画制御部４６は、空調機１２によって冷房が行われている場合には、人流予測部４５によって予測された人流情報によって示される熱負荷が多い区画の供給冷熱量が多くなるように、その区画に対応する区画供給部４１を制御し、人流予測部４５によって予測された人流情報によって示される熱負荷が少ない区画の供給冷熱量が少なくなるように、その区画に対応する区画供給部４１を制御してもよい。また、例えば、区画制御部４６は、空調機１２によって暖房が行われている場合には、人流予測部４５によって予測された人流情報によって示される熱負荷が多い区画の供給温熱量が少なくなるように、その区画に対応する区画供給部４１を制御し、人流予測部４５によって予測された人流情報によって示される熱負荷が少ない区画の供給温熱量が多くなるように、その区画に対応する区画供給部４１を制御してもよい。予測された人流情報によって示される熱負荷が多い区画とは、例えば、予測された人流情報によって示される人流が第１の閾値より多い区画であってもよく、予測された人流情報を用いて算出される発熱量が第３の閾値より多い区画であってもよい。また、予測された人流情報によって示される熱負荷が少ない区画とは、例えば、予測された人流情報によって示される人流が第２の閾値より少ない区画であってもよく、予測された人流情報を用いて算出される発熱量が第４の閾値より少ない区画であってもよい。第１及び第２の閾値は、例えば、同じ値であってもよく、または、第１の閾値が、第２の閾値より大きくてもよい。また、第３及び第４の閾値は、例えば、同じ値であってもよく、または、第３の閾値が、第４の閾値より大きくてもよい。また、ある区画に対応する区画供給部４１とは、その区画に空調空気を供給する区画供給部４１のことである。なお、人流予測は区画ごとに行われるため、人流が多いとは、人密度が高いことを意味し、また、人流が少ないとは、人密度が低いことを意味すると考えてもよい。
【０１０７】
例えば、４．８（ｋｍ／ｈ）で歩行している通行人の人体からの発熱量は２７６．８（Ｗ）となることが知られている。その発熱量については、例えば、以下の文献を参照されたい。そのため、ある区画の人流が多くなればなるほど、通行者による発熱量も増えることになり、その区画の温度が上昇することになる。したがって、予測された人流情報を用いることによって、区画ごとに人流に応じた発熱量を算出することもでき、その算出した発熱量を、区画制御部４６による上記の制御に用いてもよい。また、上記のように、人流が多い区画については、温度が低くなるように制御し、人流が少ない区画については、温度が高くなるように制御することは、各区画の通行者の快適性を向上させるために適切な制御である。
文献：郡公子、佐藤豊、「人体発熱負荷の推定に関する研究」、空気調和・衛生工学会大会、学術講演論文集1990(0), pp. 745-748, 1990
【０１０８】
通行者の発熱量に応じた制御を行うため、区画制御部４６は、例えば、冷房が行われている場合に、予測された人流情報によって示される熱負荷が多い区画に、空調機１２からの空調空気がより多く供給されるように、その区画に対応する区画供給部４１を制御してもよく、予測された人流情報によって示される熱負荷が少ない区画に、空調機１２からの空調空気がより少なく供給されるように、その区画に対応する区画供給部４１を制御してもよい。また、通行者の発熱量に応じた制御を行うため、区画制御部４６は、例えば、暖房が行われている場合に、予測された人流情報によって示される熱負荷が多い区画に、空調機１２からの空調空気がより少なく供給されるように、その区画に対応する区画供給部４１を制御してもよく、予測された人流情報によって示される熱負荷が少ない区画に、空調機１２からの空調空気がより多く供給されるように、その区画に対応する区画供給部４１を制御してもよい。なお、空調空気がより多く供給されるとは、例えば、通常（デフォルトの設定）よりも多い空調空気が供給されることであってもよく、空調空気がより少なく供給される区画と比較して、より多くの空調空気が供給されることであってもよい。また、空調空気がより少なく供給されるとは、例えば、通常よりも少ない空調空気が供給されることであってもよく、空調空気がより多く供給される区画と比較して、より少ない空調空気が供給されることであってもよい。なお、例えば、空調空気の供給量の制御に代えて、供給される空調空気の温度が制御されてもよい。区画制御部４６は、例えば、冷房が行われている場合に、予測された人流情報によって示される熱負荷が多い区画に、空調機１２からのより低い温度の空調空気が供給されるように、その区画に対応する区画供給部４１を制御してもよく、予測された人流情報によって示される熱負荷が少ない区画に、空調機１２からのより高い温度の空調空気が供給されるように、その区画に対応する区画供給部４１を制御してもよい。
【０１０９】
なお、上記のように、人流情報に応じて、各区画に応じた通行者に応じた発熱量の合計を算出することも可能である。例えば、予測された人流情報に、通行者の属性が含まれている場合には、区画制御部４６は、その属性を用いて発熱量の合計を算出してもよい。具体的には、通常、男性の発熱量は、女性の発熱量よりも多くなるため、そのことを考慮した発熱量の合計の算出を行ってもよい。そのようにして算出された発熱量の合計に応じて、区画制御部４６は、上記と同様の処理を行ってもよい。すなわち、区画制御部４６は、例えば、冷房が行われている場合に、発熱量の合計が多い区画の供給冷熱量が多くなるように、その区画に対応する区画供給部４１を制御し、発熱量の合計が少ない区画の供給冷熱量が少なくなるように、その区画に対応する区画供給部４１を制御してもよい。この場合でも、通常、上記の人流の予測結果を用いた制御と同様の結果になると考えられる。
【０１１０】
また、予測された人流情報に基づいた区画供給部４１の制御は、例えば、人流のない区画について、空調空気の供給を行わない制御であってもよい。例えば、区画制御部４６は、人流予測部４５によって予測された人流情報によって人のいないことが示される区画については、空調機１２によって調整された空気の供給を行わないように、その区画に対応する区画供給部４１を制御してもよい。予測された人流情報によって人のいないことが示される区画とは、予測された人流情報によって示される人流が０である区画であってもよく、または、予測された人流情報によって示される人流が所定の閾値より少ない区画であってもよい。後者の場合であっても、所定の閾値が十分に小さい値であれば、人流が所定の閾値より少ないときに、人が実質的にいないとみなすことができるからである。そのため、その所定の閾値は、上記第２の閾値などと比較して、小さい正の値に設定されることが好適である。このように、人のいない区画については空調を行わないようにすることによって、通行人の快適さを損なうことなく、省エネルギー化を図ることができるようになる。なお、このように、ある区画について空調空気の供給をなくしたとしても、上記のように、空調空間は連続しているため、他の区画からの空調空気の流れ込みもあり、また、仮に通行人が空調空気の供給のなされていない区画を通ることになったとしても、通行するのは短期間であるため、通行人に対する影響は少ないと考えられる。
【０１１１】
また、予測された人流情報に、通行者の属性の分布が含まれている場合には、区画制御部４６は、その通行者の属性の分布に基づいて、区画供給部４１を制御してもよい。例えば、男性や若者の多いことが予測される区画については、他の区画よりも温度が低くなるように制御されてもよい。逆に、女性や老人の多いことが予測される区画については、他の区画よりも温度が高くなるように制御されてもよい。
【０１１２】
［ブロック間での空気の移動制御］
次に、ブロック間での空気の移動制御について説明する。
ブロック温度センサ５１は、ブロックごとに設けられており、各ブロックの温度を取得する。例えば、図２において、ブロック温度センサ５１ａは、ブロック３０１ａの温度を取得する。その温度は、ブロック内の温度であればどの位置の温度であってもよいが、そのブロックを代表する位置の温度、例えば、ブロックの中心付近の温度であってもよい。また、ブロック温度センサ５１は、例えば、あるブロックについて、複数の位置における温度の測定結果の代表値である温度を取得してもよい。ブロック温度センサ５１によって取得された温度は、例えば、有線または無線を介してブロック間送風制御部５９に渡されてもよい。
【０１１３】
なお、複数のブロック温度センサ５１の少なくとも一部と、内部温度センサ３２とは同じものであってもよい。例えば、いずれかのブロック温度センサ５１によって取得されたブロック内の温度が、内部温度として用いられてもよい。その場合には、空調システム１００が有する内部温度センサ３２と、少なくともいずれかのブロック温度センサ５１とは、物理的には一体のものであってもよい。
【０１１４】
また、図２では、各ブロック３０１ａ〜３０１ｈにダクト５３が接続されている場合について示しているが、そうでない場合、すなわち、ダクト５３の接続されていないブロックが存在する場合には、そのブロックには、ブロック温度センサ５１が設けられていなくてもよい。
【０１１５】
図２において、複数のダクト５３は、複数のブロック３０１ａ〜３０１ｈの間で空気を導くものである。複数の送風部５４は、ダクト５３を介してブロック間において、空気を送風するものである。なお、図２で示されるように、本実施の形態では、空調システム１００が複数のダクト５３と、複数の送風部５４とを有する場合について主に説明するが、空調システム１００は、１個のダクト５３のみを有していてもよく、１個の送風部５４のみを有していてもよい。
【０１１６】
上方側のブロック３０１ａ〜３０１ｄの空気はそれぞれ、吸込口５２を介して吸い込まれ、送風部５４ａ〜５４ｄと、ダクト５３とを介して、下方側のブロック３０１ｅ〜３０１ｈの少なくともいずれかに供給される。その際に、ダンパ５５〜５８が操作されることにより、下方側の所望のブロックに上方側のブロックの空気を導入することができる。例えば、ブロック３０１ａの空気は、ダンパ５５ｅ〜５５ｈのそれぞれを開閉することによって、下方側の任意の１以上のブロック３０１ｅ〜３０１ｈに導入することができる。
【０１１７】
下方側のブロック３０１ｅ〜３０１ｈの空気はそれぞれ、吸込口５２を介して吸い込まれ、送風部５４ｅ〜５４ｈと、ダクト５３とを介して、上方側のブロック３０１ａ〜３０１ｄの少なくともいずれかに供給される。その際に、ダンパ５５〜５８が操作されることにより、上方側の所望のブロックに下方側のブロックの空気を導入することができる。例えば、ブロック３０１ｅの空気は、ダンパ５５ａ〜５５ｄのそれぞれを開閉することによって、上方側の任意の１以上のブロック３０１ａ〜３０１ｄに導入することができる。
【０１１８】
なお、図２においては、下方側のブロック３０１ｅ〜３０１ｈの空気は、上方側のブロック３０１ａ〜３０１ｄにしか供給することができず、上方側のブロック３０１ａ〜３０１ｄの空気は、下方側のブロック３０１ｅ〜３０１ｈにしか供給することができないが、そうでなくてもよい。下方側のブロック３０１ｅ〜３０１ｈの空気を、下方側の他のブロックに供給できてもよく、上方側のブロック３０１ａ〜３０１ｄの空気を、上方側の他のブロックに供給できてもよい。
【０１１９】
また、図２においては、ダンパ５５〜５８を操作することによって、ダクト５３を介した空気の供給に関する供給元のブロックと、供給先のブロックとを変更することができる場合について示しているが、そうでなくてもよい。ブロックの間で空気を導くダクト５３に関して、接続先のブロックが固定されていてもよい。また、その場合に、送風方向は固定されていてもよく、または切り替えることができてもよい。例えば、空調システム１００が、接続先のブロックが固定された１個のダクト５３と、そのダクト５３を介した送風を行う１個の送風機５４を有しているとする。その場合には、空調空間は、垂直方向に２個のブロックに分割されているだけであってもよい。すなわち、空調空間は、水平方向にはブロックに分割されていなくてもよい。そして、ブロック間送風制御部５９は、その２個のブロックの各温度に基づいて、下方側のブロックの冷気を上方側のブロックに移動させたり、上方側のブロックの暖気を下方側のブロックに移動させたりするように、送風部５４を制御してもよい。
【０１２０】
ブロック間送風制御部５９は、複数のブロック温度センサ５１によって取得された温度を用いて、空気の供給元のブロックの温度が、空気の供給先のブロックの温度に対して、空調機１２による温度調整方向の目標側となるように、送風部５４を制御する。上記のように、冷房の場合には、温度調整方向の目標側は、温度の低い側となり、暖房の場合には、温度調整方向の目標側は、温度の高い側となる。したがって、冷房が行われている場合には、供給元のブロックの相対的に冷たい空気が、供給先のブロックに供給されることになり、暖房が行われている場合には、供給元のブロックの相対的に暖かい空気が、供給先のブロックに供給されることになる。このようにして、空気を有効利用することができ、省エネルギー化を促進することができるようになる。なお、本実施の形態では、冷房が行われている場合には、下方側のブロック３０１ｅ〜３０１ｈの少なくともいずれかが、ブロック間での空気の移動に関する供給元のブロックとなり、暖房が行われている場合には、上方側のブロック３０１ａ〜３０１ｄの少なくともいずれかが、ブロック間での空気の移動に関する供給元のブロックとなる場合について主に説明するが、空気の供給元ブロックは、上方側のブロックや下方側のブロックに限定されないで任意に選択できてもよい。
【０１２１】
例えば、図２において、冷房が行われている場合には、通常、下方側のブロック３０１ｅ〜３０１ｈの温度の方が、上方側のブロック３０１ａ〜３０１ｄの温度よりも低くなるため、下方側のブロックから上方側のブロックへの空気の供給が行われることになる。下方側のブロックと上方側のブロックとの接続関係は問わないが、ブロック間送風制御部５９は、例えば、最も温度の低い下方側のブロックの空気を、最も温度の低い上方側のブロックに供給するように制御してもよい。また、ブロック間送風制御部５９は、例えば、同様にして、２番目〜４番目に温度の低い下方側のブロックの空気をそれぞれ、２番目〜４番目に温度の低い上方側のブロックに供給するように制御してもよい。なお、それらの制御において、供給元のブロックの温度の方が、供給先のブロックの温度よりも低いことを前提としている。その前提がみたされない場合には、ブロック間送風制御部５９は、上下間での空気の移動を行わなくてもよい。
【０１２２】
また、例えば、図２において、暖房が行われている場合には、通常、上方側のブロック３０１ａ〜３０１ｄの温度の方が、下方側のブロック３０１ｅ〜３０１ｈの温度よりも高くなるため、上方側のブロックから下方側のブロックへの空気の供給が行われることになる。上方側のブロックと下方側のブロックとの接続関係は問わないが、ブロック間送風制御部５９は、例えば、最も温度の高い上方側のブロックの空気を、最も温度の高い下方側のブロックに供給するように制御してもよい。また、ブロック間送風制御部５９は、例えば、同様にして、２番目〜４番目に温度の高い上方側のブロックの空気をそれぞれ、２番目〜４番目に温度の高い下方側のブロックに供給するように制御してもよい。なお、それらの制御において、供給元のブロックの温度の方が、供給先のブロックの温度よりも高いことを前提としている。その前提がみたされない場合には、ブロック間送風制御部５９は、上下間での空気の移動を行わなくてもよい。
【０１２３】
また、ブロック間送風制御部５９は、供給元のブロックのうち、より温度の高いブロックの空気が、人流予測部４５によって予測された人流情報によって、人流の平均速度の低いことが示される区画に対応する供給先のブロックに供給され、より温度の低いブロックの空気が、予測された人流情報によって、人流の平均速度の高いことが示される区画に対応する供給先のブロックに供給されるように複数の送風部５４を制御してもよい。
【０１２４】
より温度の高いブロックとは、例えば、温度が最も高いブロックであってもよく、温度が最も高いブロックからＮ番目までのブロックであってもよく、温度が閾値より高いブロックであってもよい。Ｎは２以上の整数である。より温度の低いブロックとは、例えば、温度が最も低いブロックであってもよく、温度が最も低いブロックからＮ番目までのブロックであってもよく、温度が閾値より低いブロックであってもよい。
【０１２５】
人流の平均速度が低いことが示される区画とは、例えば、人流の平均速度が最も低いことが示される区画であってもよく、人流の平均速度が最も低いことが示される区画からＭ番目であることが示される区画までであってもよく、人流の平均速度が閾値より低いことが示される区画であってもよい。Ｍは２以上の整数である。人流の平均速度が高いことが示される区画とは、例えば、人流の平均速度が最も高いことが示される区画であってもよく、人流の平均速度が最も高いことが示される区画からＭ番目であることが示される区画までであってもよく、人流の平均速度が閾値より高いことが示される区画であってもよい。
【０１２６】
なお、供給元の候補となるブロックが複数存在する場合には、その複数の候補のブロックから、ランダムに１個のブロックが選択されてもよく、または、その複数の候補のブロックのそれぞれが供給元のブロックとなってもよい。供給先の候補のブロックが複数存在する場合にも同様である。また、図２においては、上記のように、ブロックと区画とが一致しているが、そうでない場合には、ある区画に対応するブロックとは、その区画に最も近いブロックであってもよい。
【０１２７】
人流の平均速度の高いことが示される区画の通行者は、より速い速度で移動しており、発熱量もより多くなる。したがって、その通行者の快適性を向上させるため、より低い温度の空気を供給することが好適となる。一方、人流の平均速度が低いことが示される区画の通行者は、より遅い速度で移動しており、発熱量も少なくなる。したがって、その通行者の快適性を向上させるため、より高い温度の空気を供給することが好適となる。
【０１２８】
例えば、図２において、冷房が行われている場合には、ブロック間送風制御部５９は、下方側のブロック３０１ｅ〜３０１ｈのうち、最も温度の低いブロックの空気が、人流の平均速度が最も高いことが示される区画に対応する上方側のブロックに供給されるように制御してもよい。また、ブロック間送風制御部５９は、下方側のブロック３０１ｅ〜３０１ｈのうち、最も温度の高いブロックの空気が、人流の平均速度が最も低いことが示される区画に対応する上方側のブロックに供給されるように制御してもよい。なお、それらの制御において、供給元のブロックの温度の方が、供給先のブロックの温度よりも低いことを前提としている。その前提がみたされない場合には、ブロック間送風制御部５９は、上下間での空気の移動を行わなくてもよい。
【０１２９】
また、例えば、図２において、暖房が行われている場合には、ブロック間送風制御部５９は、上方側のブロック３０１ａ〜３０１ｄのうち、最も温度の低いブロックの空気が、人流の平均速度が最も高いことが示される区画に対応する下方側のブロックに供給されるように制御してもよい。また、ブロック間送風制御部５９は、上方側のブロック３０１ａ〜３０１ｄのうち、最も温度の高いブロックの空気が、人流の平均速度が最も低いことが示される区画に対応する下方側のブロックに供給されるように制御してもよい。なお、それらの制御において、供給元のブロックの温度の方が、供給先のブロックの温度よりも高いことを前提としている。その前提がみたされない場合には、ブロック間送風制御部５９は、上下間での空気の移動を行わなくてもよい。
【０１３０】
また、ブロック間送風制御部５９は、例えば、区画供給部４１と同様に、人流予測部４５によって予測された人流情報によって人のいないことが示される区画に対応するブロックについては、ブロック間での空気の移動の供給先とならないように制御してもよい。
【０１３１】
また、ブロック間送風制御部５９は、供給元のブロックと、そのブロックからの空気が供給される供給先のブロックとの組を決めると、その供給元のブロックから、供給先のブロックに空気が供給されるように、送風部５４やダンパ５５〜５８を制御してもよい。具体的には、ブロック３０１ｅからブロック３０１ａに空気を移動させることが決まった場合には、ブロック間送風制御部５９は、ダンパ５５ａを開け、ダンパ５５ｂ〜５５ｄを閉めるように制御すると共に、送風部５４ｅを動作させるように制御する。なお、ブロック間送風制御部５９による送風部５４やダンパ５５〜５８の制御は、ブロック間送風制御部５９からの制御指示が有線または無線を介して送風部５４やダンパ５５〜５８に渡されることによって行われてもよい。また、ダンパ５５〜５８は、制御指示に応じて自動的に開閉するものである。
【０１３２】
次に、空調システム１００の動作について図６、図７のフローチャートを用いて説明する。図６のフローチャートは、開放部における風量の制御に関する処理を示すフローチャートである。
【０１３３】
（ステップＳ１０１）風量制御部３４は、開放部における風量制御を行うかどうか判断する。そして、その風量制御を行う場合には、ステップＳ１０２に進み、そうでない場合には、風量制御を行うと判断するまで、ステップＳ１０１の処理を繰り返す。なお、風量制御部３４は、例えば、風量制御を行うと定期的に判断してもよい。
【０１３４】
（ステップＳ１０２）内部温度センサ３２は、内部温度を取得して風量制御部３４に渡し、屋外温度センサ３３は、屋外温度を取得して風量制御部３４に渡す。
【０１３５】
（ステップＳ１０３）風量制御部３４は、現在、空調機１２によって冷房が行われているかどうか判断する。そして、冷房が行われている場合には、ステップＳ１０４に進み、そうでない場合、すなわち暖房が行われている場合には、ステップＳ１０７に進む。なお、風量制御部３４は、例えば、現在の空調が冷房か暖房かを示す所定の情報を図示しない記録媒体から読み出すことによって、上記判断を行ってもよい。その情報は、例えば、空調機１２によって行われる冷暖房に応じて、図示しない制御部によって適宜、更新されてもよい。
【０１３６】
（ステップＳ１０４）風量制御部３４は、内部温度の方が屋外温度よりも高いかどうか判断する。そして、内部温度の方が屋外温度よりも高い場合には、ステップＳ１０５に進み、そうでない場合には、ステップＳ１０８に進む。
【０１３７】
（ステップＳ１０５）センサ３１は、開放部における風情報を取得して風量制御部３４に渡す。
【０１３８】
（ステップＳ１０６）風量制御部３４は、開放部において、屋外から空調空間に空気が流入するように、供給部１４及び吸込部１８の少なくとも一方を制御する。この制御において、風量制御部３４は、センサ３１からの風情報の取得を繰り返すことによって、外気が空調空間に導入されるように、供給部１４の供給量及び吸込部１８の吸込量の少なくとも一方を調整してもよい。そして、ステップＳ１０１に戻る。なお、次の制御のタイミングとなるまでは、ステップＳ１０６における制御が継続されてもよい。
【０１３９】
（ステップＳ１０７）風量制御部３４は、屋外温度の方が内部温度よりも高いかどうか判断する。そして、屋外温度の方が内部温度よりも高い場合には、ステップＳ１０５に進み、そうでない場合には、ステップＳ１０８に進む。
【０１４０】
（ステップＳ１０８）センサ３１は、開放部における風情報を取得して風量制御部３４に渡す。
【０１４１】
（ステップＳ１０９）風量制御部３４は、開放部において、屋外と空調空間との間における空気の移動が少なくなるように、供給部１４及び吸込部１８の少なくとも一方を制御する。この制御において、風量制御部３４は、センサ３１からの風情報の取得を繰り返すことによって、屋外と空調空間との間における空気の移動が少なくなるように、供給部１４の供給量及び吸込部１８の吸込量の少なくとも一方を調整してもよい。そして、ステップＳ１０１に戻る。なお、次の制御のタイミングとなるまでは、ステップＳ１０９における制御が継続されてもよい。
【０１４２】
なお、図６のフローチャートにおける処理の順序は一例であり、同様の結果を得られるのであれば、各ステップの順序を変更してもよい。また、図６のフローチャートにおいて、電源オフや処理終了の割り込みにより処理は終了する。
【０１４３】
図７のフローチャートは、人流予測に応じた空調制御、及びブロック間の送風制御に関する処理を示すフローチャートである。
（ステップＳ２０１）人流取得部４３は、人流情報を取得するかどうか判断する。そして、人流情報を取得する場合には、ステップＳ２０２に進み、そうでない場合には、ステップＳ２０３に進む。なお、人流取得部４３は、人流情報を取得すると定期的に判断してもよい。
【０１４４】
（ステップＳ２０２）人流取得部４３は、空調空間の区画ごとに、人流情報を取得する。なお、このステップＳ２０２における人流情報の取得は、人流情報の更新や、人流情報を取得するために用いられる情報の取得であってもよい。すなわち、このステップＳ２０２の処理が繰り返されることによって、最終的に人流情報が取得されてもよい。より具体的には、人流情報が３０分間の人流に関する情報である場合には、ステップＳ２０２において、所定の時間ごとに人流情報の更新が行われ、３０分が経過した時点で、その時点の人流情報が、最終的な３０分間の人流情報として蓄積されてもよい。また、属性情報の取得も行う場合には、人流取得部４３は、人流情報と共に、属性情報の取得も行ってもよい。そして、ステップＳ２０１に戻る。
【０１４５】
（ステップＳ２０３）人流予測部４５は、人流予測を行うかどうか判断する。そして、人流予測を行う場合には、ステップＳ２０４に進み、そうでない場合には、ステップＳ２０７に進む。なお、人流予測部４５は、例えば、人流予測を行うと所定の期間ごとに判断してもよい。その所定の期間は、例えば、人流情報に対応する期間であってもよい。上記の例の場合には、人流予測部４５は、新たな人流情報が取得されるごと、例えば３０分ごとに人流予測を行うと判断してもよい。
【０１４６】
（ステップＳ２０４）人流予測部４５は、人流取得部４３によって取得された人流情報を含む入力情報を、記憶部４４で記憶されている学習器に適用することによって、予測された人流情報を取得する。その取得された将来の人流情報は、図示しない記録媒体で記憶されてもよい。なお、入力情報に、出力情報に対応する属性情報が含まれる場合には、人流取得部４３は、その属性情報をも取得してもよい。そして、人流予測部４５は、その出力情報に対応する属性情報を人流取得部４３から受け取って、入力情報に含めるようにしてもよい。
【０１４７】
（ステップＳ２０５）区画制御部４６は、ステップＳ２０４で得られた、予測された人流情報を用いて、区画ごとに、温度に関する設定を行う。その設定は、例えば、人流が多いことが予測される区画について、低い温度を設定することであってもよく、人流が少ないことが予測される区画について、高い温度を設定することであってもよく、人流のないことが予測される区画について、空調を行わないことを設定することであってもよい。
【０１４８】
（ステップＳ２０６）区画制御部４６は、ステップＳ２０５における設定に応じて、それぞれ対応する区画供給部４１を制御する。そして、ステップＳ２０１に戻る。なお、次の人流情報の予測が行われるまでは、ステップＳ２０５における設定に応じた制御が継続されてもよい。
【０１４９】
（ステップＳ２０７）ブロック間送風制御部５９は、ブロック間での送風制御を行うかどうか判断する。そして、ブロック間での送風制御を行う場合には、ステップＳ２０８に進み、そうでない場合には、ステップＳ２０１に戻る。なお、ブロック間送風制御部５９は、例えば、ブロック間での送風制御を行うと定期的に判断してもよい。
【０１５０】
（ステップＳ２０８）ブロック温度センサ５１は、各ブロックにおける温度を取得してブロック間送風制御部５９に渡す。
【０１５１】
（ステップＳ２０９）ブロック間送風制御部５９は、上記のように、ステップＳ２０８で受け取ったブロックごとの温度を用いて、空気の供給元のブロックと、空気の供給先のブロックとの組み合わせを決定する。
【０１５２】
（ステップＳ２１０）ブロック間送風制御部５９は、ステップＳ２０９で決定した、空気の供給元のブロックと、空気の供給先のブロックとの間で送風が行われるように、送風部５４、及びダンパ５５〜５８を制御する。そして、ステップＳ２０１に戻る。なお、次の制御のタイミングとなるまでは、ステップＳ２１０における制御が継続されてもよい。
【０１５３】
なお、図７のフローチャートにおいて、区画制御部４６は、ステップＳ２０５における温度の設定を行わずに、直接、区画供給部４１の制御を行うようにしてもよい。その場合には、図７のフローチャートにおいて、ステップＳ２０５の処理は行われなくてもよい。また、図７のフローチャートにおける処理の順序は一例であり、同様の結果を得られるのであれば、各ステップの順序を変更してもよい。また、図７のフローチャートにおいて、電源オフや処理終了の割り込みにより処理は終了する。
【０１５４】
次に、学習器製造装置４００の動作について図８のフローチャートを用いて説明する。
（ステップＳ３０１）訓練情報受付部４０１は、訓練用入力情報と訓練用出力情報との複数の組を受け付けたかどうか判断する。そして、訓練用入力情報と訓練用出力情報との複数の組を受け付けた場合には、ステップＳ３０２に進み、そうでない場合には、それらを受け付けるまでステップＳ３０１の処理を繰り返す。
【０１５５】
（ステップＳ３０２）学習器製造部４０２は、ステップＳ３０１で受け付けられた訓練情報を用いて、機械学習によって学習器を製造する。
【０１５６】
（ステップＳ３０３）学習器出力部４０３は、ステップＳ３０２で製造された学習器を出力する。このようにして、学習器を製造する一連の処理が終了する。
なお、図８のフローチャートにおける処理の順序は一例であり、同様の結果を得られるのであれば、各ステップの順序を変更してもよい。
【０１５７】
次に、本実施の形態による学習器製造装置４００、及び空調システム１００の動作について、簡単に説明する。
まず、空調空間において、人流情報、及びそれに対応する属性情報の取得を行う。その取得は、例えば、人流取得部４３を用いて行われてもよい。そのようにすることで、複数の訓練情報を用意することができる。そして、用意した複数の訓練情報を学習器製造装置４００に入力し、学習を開始させる。すると、訓練情報受付部４０１によって複数の訓練情報が受け付けられ、学習器製造部４０２によって複数の訓練情報を用いた学習が行われて学習器が製造され、その製造された学習器が、学習器出力部４０３によって、図示しない記録媒体に蓄積される（ステップＳ３０１〜Ｓ３０３）。
【０１５８】
その後、その学習器が記憶部４４に蓄積された後に、空調システム１００による空調が開始される。その空調においては、内部温度と屋外温度とが取得され、冷房が行われている場合には、屋外温度の方が内部温度よりも低いかどうか判断される（ステップＳ１０１〜Ｓ１０４）。そして、内部温度が屋外温度と同じか、屋外温度より低い場合には、センサ３１によって取得される風情報を用いて、開放部において、内外での空気の移動が少なくなるように、または起こらないように供給部１４の供給量、及び／または、吸込部１８の吸込量が制御される（ステップＳ１０８，Ｓ１０９）。その結果、空調空気が開放部から屋外に流出したり、屋外の暑い空気が空調空間に流入したりすることを低減することができ、省エネルギー化を促進することができる。また、冷房が行われている場合であって、屋外温度が内部温度より低い場合には、センサ３１によって取得される風情報を用いて、開放部において、外気が空調空間に導入されるように供給部１４の供給量、及び／または、吸込部１８の吸込量が制御される（ステップＳ１０５，Ｓ１０６）。その結果、空調空間に外気を導入することができ、より効率的に空調を行うことができるようになる。例えば、その外気導入に応じて、熱源機器１１のエネルギー消費を抑えることができ、省エネルギー化を促進することができる。
【０１５９】
また、区画ごとの人流情報の取得や、属性情報の取得が繰り返して行われる（ステップＳ２０１，Ｓ２０２）。また、例えば、新たな時間帯の人流情報を予測する際には、過去の人流情報や、その人流情報に対応する属性情報、及び、予測対象の人流情報に対応する属性情報を含む入力情報を学習器に適用することによって、予測された人流情報が取得される（ステップＳ２０３，Ｓ２０４）。また、その予測された人流情報を用いて、区画ごとに温度設定が行われて、区画ごとの空調空気の供給が制御される（ステップＳ２０５，Ｓ２０６）。その結果、人流の多いことが予測される区画については、より温度が低くなるように制御され、その区画における通行人から発せられる熱によって、その区画の温度が高くなることを抑制でき、その区画の通行人の快適性を向上させることができる。また、人流の少ないことが予測される区画については、より温度が高くなるように制御され、例えば、冷房が行われている場合には、その区画に関するエネルギー消費を低減することができるようになる。
【０１６０】
また、ブロックごとの温度が取得され、それに応じて、利用価値のある空気、例えば、冷房が行われている場合における冷たい空気が、ブロック間で移動させることによって、有効に利用されることになる（ステップＳ２０７〜Ｓ２１０）。その結果、そのような利用価値のある空気を、そのまま放置したり、排気したりする場合と比較して、よりエネルギー消費を低減することができ、省エネルギー化に資することになる。
【０１６１】
以上のように、本実施の形態による空調システム１００によれば、空調空間内の人々の快適性を損なうことなく、省エネルギー化を図ることができる。具体的には、開放部における気流の制御を行うことによって、省エネルギー化を図ることができる。具体的には、開放部における内外の空気の移動を抑制することによって、空調空気の漏れ出しや、不快な空気の流入を抑えることができ、空調に関するエネルギー消費を低減することができる。また、開放部にエアカーテン等を設けなくてよいため、通行人に不快感を与えることなく、省エネルギー化を図ることができるようになる。また、屋外に快適な空気がある場合には、空調空間に外気を導入することによって、熱源機器１１や空調機１２の稼働を抑えることができ、より省エネルギー化を促進することができるようになる。
【０１６２】
また、人流予測に基づいて、区画ごとの空調制御を行うことによって、例えば、人流が多いことが予測される区画については、より冷房が効くようにすることができ、通行人の快適性を向上させることができるようになる。また、例えば、人流が少ないことが予測される区画については、冷房の効きを弱くすることによって、省エネルギー化を図ることができる。また、人流の現在のセンシング結果に応じて空調を制御した場合には、制御が行われてから、空調空気が実際に空調空間に提供されるまでにタイムラグが生じるため、通行人の快適性が低下することもありうるが、予測された人流情報に基づいて制御を行うことによって、そのようなタイムラグが生じないようにすることができ、快適性をより向上させることができるようになる。
【０１６３】
また、各ブロックでの温度を取得して、ブロック間で空気を適切に移動させることによって、空調空気をより効率的に利用することができるようになり、省エネルギー化を促進することができる。例えば、冷房時において、地下街の中心付近での２７℃の空気は、その中心付近では快適性の低い空気であるかも知れないが、温度が高くなりがちな開放部付近では、快適な空気となりうる。そのため、その２７℃の空気を開放部付近に移動させることによって、空気を有効利用することができ、より省エネルギー化を促進することができるようになる。
【０１６４】
なお、本願の発明者らは、大規模な空調空間である地下街において、開放部における風量の制御、人流予測に基づいた区画ごとの空調制御、ブロック間での空気の移動制御のすべてを実施する実験を行った。その実験の結果、本実施の形態の空調システム１００による制御によって、空調消費エネルギーを約４０％程度、削減できることが確認された。このように、本実施の形態による空調システム１００の有効性は、このようにして実際に確認されている。
【０１６５】
また、本実施の形態では、図１で示されるように、固定の吸込口１６から吸い込まれた空気を還気したり、排気したりする場合について説明したが、そうでなくてもよい。例えば、空調空間２００の上方側と下方側とのそれぞれに、吸込口が設けられていてもよい。そして、冷房時には、例えば、下方側の吸込口から吸い込んだ空気を排気せずに還気して再利用し、上方側の吸込口から吸い込んだ空気を還気せずに排気してもよい。逆に、暖房時には、例えば、上方側の吸込口から吸い込んだ空気を排気せずに還気して再利用し、下方側の吸込口から吸い込んだ空気を還気せずに排気してもよい。
【０１６６】
また、本実施の形態では、空調システム１００が、開放部における風量制御、人流予測に基づいた区画ごとの空調制御、ブロック間での空気の移動制御のすべてを行う場合について主に説明したが、そうでなくてもよい。空調システム１００は、それらの３個の制御のうち、任意の１以上の制御を行うものであってもよい。
【０１６７】
例えば、空調システム１００が開放部における風量制御を行わない場合には、空調システム１００は、センサ３１、供給部１４、吸込部１８、風量制御部３４を備えていなくてもよい。その場合であっても、空調システム１００は、空調空間からの空気の吸い込みを行うための吸込部や、空調空間に空調空気を供給する供給部を別途、備えていてもよい。
【０１６８】
また、例えば、空調システム１００が人流予測に基づいた区画ごとの空調制御を行わない場合であって、ブロック間での空気の移動制御において予測された人流情報を用いない場合には、空調システム１００は、区画供給部４１、レーザレンジファインダ４２、人流取得部４３、記憶部４４、人流予測部４５などを備えていなくてもよい。
【０１６９】
また、例えば、空調システム１００がブロック間での空気の移動制御を行わない場合には、空調システム１００は、ブロック温度センサ５１、ダクト５３、送風部５４、ダンパ５５〜５８、ブロック間送風制御部５９を備えていなくてもよい。
【０１７０】
例えば、区画に分割された空調空間において、人流予測に応じた区画ごとの空調制御を行う空調システムは、空気の温度を調整する空調機と、空調機によって温度の調整された空気を空調空間における１以上の区画に供給する、その１以上の区画ごとに設けられた複数の区画供給部と、区画ごとに、人流に関する情報である人流情報を予測する人流予測部と、人流予測部によって予測された人流情報に基づいて、複数の区画供給部を制御する区画制御部とを備えたものであってもよい。
【０１７１】
例えば、ブロックに分割された空調空間において、ブロック間での空気の移動制御を行う空調システムは、空気の温度を調整する空調機と、ブロックの温度を取得する、ブロックごとに設けられた複数のブロック温度センサと、複数のブロックの間で空気を導く１以上のダクトと、ダクトを介して空気を送風する１以上の送風部と、複数のブロック温度センサによって取得された温度を用いて、空気の供給元のブロックの温度が、空気の供給先のブロックの温度に対して、空調機による温度調整方向の目標側となるように、１以上の送風部を制御するブロック間送風制御部とを備えたものであってもよい。
【０１７２】
また、本実施の形態による人流予測のために用いられる学習器は、空調以外のための人流予測に用いられてもよい。その場合には、予測を行う複数の区画に分割された空間は、空調空間以外の空間、例えば、屋外における通路等であってもよい。
【０１７３】
また、上記実施の形態において、各処理または各機能は、単一の装置または単一のシステムによって集中処理されることによって実現されてもよく、または、複数の装置または複数のシステムによって分散処理されることによって実現されてもよい。
【０１７４】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、または、その情報の受け渡しを行う２個の構成要素が物理的に同じものである場合には、一方の構成要素に対応する処理のフェーズから、他方の構成要素に対応する処理のフェーズに移ることによって行われてもよい。
【０１７５】
また、上記実施の形態において、各構成要素が実行する処理に関係する情報、例えば、各構成要素が受け付けたり、取得したり、選択したり、生成したり、送信したり、受信したりした情報や、各構成要素が処理で用いる閾値や数式、アドレス等の情報等は、上記説明で明記していなくても、図示しない記録媒体において、一時的に、または長期にわたって保持されていてもよい。また、その図示しない記録媒体への情報の蓄積を、各構成要素、または、図示しない蓄積部が行ってもよい。また、その図示しない記録媒体からの情報の読み出しを、各構成要素、または、図示しない読み出し部が行ってもよい。
【０１７６】
また、上記実施の形態において、各構成要素等で用いられる情報、例えば、各構成要素が処理で用いる閾値やアドレス、各種の設定値等の情報がユーザによって変更されてもよい場合には、上記説明で明記していなくても、ユーザが適宜、それらの情報を変更できるようにしてもよく、または、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１７７】
また、上記実施の形態において、空調システム１００や、学習器製造装置４００に含まれる２以上の構成要素が通信デバイスや入力デバイス等を有する場合に、２以上の構成要素が物理的に単一のデバイスを有してもよく、または、別々のデバイスを有してもよい。
【０１７８】
また、上記実施の形態において、各構成要素は専用のハードウェアにより構成されてもよく、または、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、記憶部や記録媒体にアクセスしながらプログラムを実行してもよい。
【０１７９】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１８０】
また、このプログラムを実行するコンピュータは、単数であってもよく、複数であってもよい。すなわち、集中処理を行ってもよく、または分散処理を行ってもよい。
【０１８１】
図１５は、上記プログラムを実行して、上記実施の形態による空調システム１００の少なくとも一部の構成要素、または、学習器製造装置４００を実現するコンピュータの外観の一例を示す模式図である。上記実施の形態は、コンピュータハードウェア及びその上で実行されるコンピュータプログラムによって実現されうる。
【０１８２】
図１５において、コンピュータシステム９００は、ＣＤ−ＲＯＭドライブ９０５を含むコンピュータ９０１と、キーボード９０２と、マウス９０３と、モニタ９０４とを備える。
【０１８３】
図１６は、コンピュータシステム９００の内部構成を示す図である。図１６において、コンピュータ９０１は、ＣＤ−ＲＯＭドライブ９０５に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮやＷＡＮ等への接続を提供する図示しないネットワークカードを含んでいてもよい。
【０１８４】
コンピュータシステム９００に、上記実施の形態による空調システム１００の少なくとも一部の構成要素の機能や、学習器製造装置４００の機能を実行させるプログラムは、ＣＤ−ＲＯＭ９２１に記憶されて、ＣＤ−ＲＯＭドライブ９０５に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１、またはネットワークから直接、ロードされてもよい。また、ＣＤ−ＲＯＭ９２１に代えて他の記録媒体（例えば、ＤＶＤ等）を介して、プログラムがコンピュータシステム９００に読み込まれてもよい。
【０１８５】
プログラムは、コンピュータ９０１に、上記実施の形態による空調システム１００の少なくとも一部の構成要素の機能や、学習器製造装置４００の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１８６】
また、本発明は、以上の実施の形態に限定されることなく、種々の変更が可能であり、それらも本発明の範囲内に包含されるものであることは言うまでもない。
【産業上の利用可能性】
【０１８７】
以上より、本発明による空調システム等によれば、例えば、空調空間内の人々の快適性を損なうことなく、省エネルギー化を図ることができるという効果が得られ、空調システム等として有用である。
【符号の説明】
【０１８８】
１２  空調機
１３、１７、５３  ダクト
１４、１４ａ、１４ｂ  供給部
１８  吸込部
３１、３１ａ、３１ｂ  センサ
３２  内部温度センサ
３３  屋外温度センサ
３４  風量制御部
４１、４１ａ〜４１ｄ  区画供給部
４３  人流取得部
４４  記憶部
４５  人流予測部
４６  区画制御部
５１、５１ａ〜５１ｈ  ブロック温度センサ
５４、５４ａ〜５４ｈ  送風部
５９  ブロック間送風制御部
１００  空調システム
４００  学習器製造装置
４０１  訓練情報受付部
４０２  学習器製造部
４０３  学習器出力部
【図１】
2020115053.tif 000003
【図２】
2020115053.tif 000004
【図３】
2020115053.tif 000005
【図４】
2020115053.tif 000006
【図５】
2020115053.tif 000007
【図６】
2020115053.tif 000008
【図７】
2020115053.tif 000009
【図８】
2020115053.tif 000010
【図９】
2020115053.tif 000011
【図１０】
2020115053.tif 000012
【図１１】
2020115053.tif 000013
【図１２】
2020115053.tif 000014
【図１３】
2020115053.tif 000015
【図１４】
2020115053.tif 000016
【図１５】
2020115053.tif 000017
【図１６】
2020115053.tif 000018
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
屋外への開放部を１以上有する空調空間の空調システムであって、
前記開放部における前記空調空間と前記屋外との間の風に関する風情報を取得するセンサと、
空気の温度を調整する空調機と、
前記空調機によって温度の調整された空気を、前記開放部に設けられた供給口から前記空調空間に可変風量で供給する供給部と、
前記空調空間の空気を吸込口から可変風量で吸い込む吸込部と、
前記センサによって取得された風情報によって示される前記空調空間と前記屋外との間の風が弱くなるように、前記供給部の供給量と前記吸込部の吸込量との少なくとも一方を制御する風量制御部と、を備えた空調システム。
【請求項２】
前記空調空間の温度である内部温度を取得する内部温度センサと、
前記屋外の温度である屋外温度を取得する屋外温度センサと、をさらに備え、
前記風情報には、風向も含まれており、
前記風量制御部は、前記屋外温度が前記内部温度に対して、前記空調機による温度調整方向の目標側にある場合には、前記センサによって取得される風向が、前記開放部において前記屋外から前記空調空間に空気が流入する方向となるように前記供給部の供給量と前記吸込部の吸込量との少なくとも一方を制御し、前記屋外温度が前記内部温度に対して、前記空調機による温度調整方向の目標側にない場合には、前記センサによって取得された風情報によって示される前記空調空間と前記屋外との間の風が弱くなるように、前記供給部の供給量と前記吸込部の吸込量との少なくとも一方を制御する、請求項１記載の空調システム。
【請求項３】
前記空調空間は、水平方向に複数の区画に仮想的に分割されており、
前記空調機によって温度の調整された空気を前記空調空間における１以上の区画に供給する、当該１以上の区画ごとに設けられた複数の区画供給部と、
区画ごとに、人流に関する情報である人流情報を予測する人流予測部と、
前記人流予測部によって予測された人流情報に基づいて、前記複数の区画供給部を制御する区画制御部と、をさらに備えた、請求項１または請求項２記載の空調システム。
【請求項４】
区画ごとの人流情報を取得するための人流取得部と、
区画ごとに取得された所定の期間の人流情報を含む訓練用入力情報と、前記所定の期間の後に区画ごとに取得された人流情報である訓練用出力情報との組を複数用いて学習された学習器が記憶される記憶部と、をさらに備え、
前記人流予測部は、前記人流取得部によって取得された、所定の期間の人流情報を含む入力情報を前記学習器に適用することによって、予測された人流情報を取得する、請求項３記載の空調システム。
【請求項５】
前記区画制御部は、前記空調機によって冷房が行われている場合には、前記人流予測部によって予測された人流情報によって示される熱負荷が多い区画の供給冷熱量が多くなるように、当該区画に対応する前記区画供給部を制御し、前記人流予測部によって予測された人流情報によって示される熱負荷が少ない区画の供給冷熱量が少なくなるように、当該区画に対応する前記区画供給部を制御し、前記空調機によって暖房が行われている場合には、前記人流予測部によって予測された人流情報によって示される熱負荷が多い区画の供給温熱量が少なくなるように、当該区画に対応する前記区画供給部を制御し、前記人流予測部によって予測された人流情報によって示される熱負荷が少ない区画の供給温熱量が多くなるように、当該区画に対応する前記区画供給部を制御する、請求項３または請求項４記載の空調システム。
【請求項６】
前記区画制御部は、前記人流予測部によって予測された人流情報によって人のいないことが示される区画については、前記空調機によって調整された空気の供給を行わないように、当該区画に対応する前記区画供給部を制御する、請求項３から請求項５のいずれか記載の空調システム。
【請求項７】
前記空調空間は、少なくとも垂直方向に複数のブロックに仮想的に分割されており、
ブロックの温度を取得する、ブロックごとに設けられた複数のブロック温度センサと、
前記複数のブロックの間で空気を導く１以上のダクトと、
前記ダクトを介して空気を送風する１以上の送風部と、
前記複数のブロック温度センサによって取得された温度を用いて、空気の供給元のブロックの温度が、空気の供給先のブロックの温度に対して、前記空調機による温度調整方向の目標側となるように、前記１以上の送風部を制御するブロック間送風制御部と、をさらに備えた、請求項３から請求項６のいずれか記載の空調システム。
【請求項８】
前記空調空間は、水平方向にも複数のブロックに仮想的に分割されており、
複数の前記ダクト、及び複数の前記送風部を備えており、
前記人流予測部は、人流の平均速度を含む人流情報を取得するものであり、
前記ブロック間送風制御部は、供給元のブロックのうち、より温度の高いブロックの空気が、予測された人流情報によって、人流の平均速度の低いことが示される区画に対応する供給先のブロックに供給され、より温度の低いブロックの空気が、予測された人流情報によって、人流の平均速度の高いことが示される区画に対応する供給先のブロックに供給されるように前記複数の送風部を制御する、請求項７記載の空調システム。
【請求項９】
屋外への開放部を１以上有する空調空間の空調システムであり、前記開放部における前記空調空間と前記屋外との間の風に関する風情報を取得するセンサと、空気の温度を調整する空調機と、前記空調機によって温度の調整された空気を、前記開放部に設けられた供給口から前記空調空間に可変風量で供給する供給部と、前記空調空間の空気を吸込口から可変風量で吸い込む吸込部とを備えた空調システムの制御方法であって、
前記センサによって取得された風情報によって示される前記空調空間と前記屋外との間の風が弱くなるように、前記供給部の供給量と前記吸込部の吸込量との少なくとも一方を制御するステップを備えた制御方法。